(57)【要約】【課題】二次元バーコードを用いて実行される情報伝達技術に関する、新規な電子機器（携帯端末）の駆動方法等を提供する。【解決手段】携帯端末（デバイス１０）は、反射型素子と非反射型素子が積層したディスプレイユニット１１を有する。二次元バーコードをディスプレイユニット１１に表示する場合に、デバイス１０は、非反射型素子を用いた表示を停止し、反射型素子を用いて、アイドリング・ストップ法で表示させ、また、その他の多くの回路、機能を待機モードとする。そのため、二次元バーコード表示の際のデバイス１０の消費電力を低減できる。二次元バーコードは、光源を有するバーコードリーダにより読み取られ、サーバのデータと照合される。二次元バーコードによる携帯端末の情報伝達は、ＮＦＣやインターネットとも組み合わされ、高い機密性を要求される情報の伝達に二次元バーコードを用いることで、全体としてセキュリティーを高めることができる。【選択図】図７
2018072747.tif 000002
【特許請求の範囲】
【請求項１】
反射型素子を有する層と、それに積層する、非反射型素子を有する層と、を有するディスプレイユニットを有し、
前記非反射型素子に信号を供給して表示をおこなう第１の状態 と、
前記非反射型素子に信号を供給せず、前記反射型素子に信号を供給し、リフレッシュ周波数１Ｈｚ以下で表示をおこなう第２の状態 と、
を選択可能であり、
バーコードを表示させる際には、前記ディスプレイユニットが前記第２の状態となるように設定 されている電子機器。
【請求項２】
前記ディスプレイユニットはタッチ検出機能を有し、
前記第１の状態では、前記タッチ検出機能が有効に設定され、
前記バーコードを表示させる際には、
前記タッチ検出機能が無効に設定され、
近距離無線通信機能 が有効に設定される、
請求項１に記載の電子機器。
【請求項３】
前記非反射型素子は自発光素子である請求項１に記載の電子機器。
【請求項４】
プロセッサと、
反射型素子を有する層と、それに積層する、非反射型素子を有する層と、を有するディスプレイユニットを有し、
前記非反射型素子に信号を供給して表示をおこなう第１の状態と、
前記非反射型素子に信号を供給せず、前記反射型素子に信号を供給し、リフレッシュ周波数１Ｈｚ以下で表示をおこなう第２の状態と、
を選択可能である電子機器において、
前記第１の状態で表示をおこなう第１の過程と、
前記第１の過程の後、バーコードを前記第２の状態で表示させる第２の過程と、
前記第２の過程の後、前記第１の状態で表示をおこなう第３の過程と、
を有する電子機器の駆動方法。
【請求項５】
前記ディスプレイユニットはタッチ検出機能を有し、
前記第１の状態では、前記タッチ検出機能が有効に設定され、
前記バーコードを表示させる際には、
前記タッチ検出機能が無効に設定され、
近距離無線通信機能が有効に設定される、
請求項４に記載の電子機器の駆動方法。
【請求項６】
前記非反射型素子は自発光素子である請求項４に記載の電子機器の駆動方法。
【請求項７】
請求項４に記載の前記第１の過程、請求項４に記載の前記第２の過程、請求項４に記載の前記第３の過程を請求項４に記載の前記プロセッサに実行させるコンピュータプログラム 。
【請求項８】
反射型素子を有する層と、それに積層する、非反射型素子を有する層と、を有するディスプレイユニットを有し、
前記非反射型素子に信号を供給して表示をおこなう第１の状態と、
前記非反射型素子に信号を供給せず、前記反射型素子に信号を供給し、リフレッシュ周波数１Ｈｚ以下で表示をおこなう第２の状態と、
を選択可能である電子機器において、
前記第２の状態で表示された第１のバーコードにバーコードリーダより光 を照射し、その反射光 をバーコードリーダで読み取る過程と、
前記第１のバーコードより得られた情報を照合し、前記電子機器の保有者にサービスまたは物品を提供するか否かを判定する過程と、
を有する方法 。
【請求項９】
さらに、
第１のバーコード をバーコードリーダで読み取る過程の前に、前記電子機器に、前記第２の状態で第２のバーコード を表示させる過程と、
前記第２のバーコードを前記バーコードリーダで読み取る過程と、
前記第２のバーコードより得られた情報を照合し、前記電子機器を特定し、前記第１のバーコードの表示を前記電子機器に求める過程と、
を有する請求項８に記載の方法。
【請求項１０】
前記電子機器は、前記電子機器と前記バーコードリーダの間の距離が一定の値以下となると、前記第１のバーコードを表示し、前記電子機器と前記バーコードリーダの間の距離が一定の値より大きくなると、前記第１のバーコードの表示をやめるように設定されている、請求項８に記載の方法。
【請求項１１】
前記バーコードリーダが、事前に定められた時間内に前記第１のバーコードを読み取ることができなかった場合には、前記電子機器に前記第１のバーコードの表示を中止させる、請求項８に記載の方法。
【請求項１２】
前記ディスプレイユニットはタッチ検出機能を有し、
前記第１の状態では、前記タッチ検出機能が有効に設定され、
前記バーコードを表示させる際には、
前記タッチ検出機能が無効に設定され、
近距離無線通信機能が有効に設定される、
請求項８に記載の方法。
【請求項１３】
前記非反射型素子は自発光素子である請求項８に記載の方法。
【発明の詳細な説明】
【技術分野】
【０００１】
ディスプレイを有する電子機器（携帯端末）とその駆動方法、使用方法、サービス等が開示される。
【背景技術】
【０００２】
バーコード（二次元バーコードを含む）は、手軽に対象物を特定する手段として広く普及している。特許文献１には、携帯電子機器のディスプレイに二次元バーコードが表示される技術が開示されている。例えば、スマートフォンに代表される携帯電子機器の情報伝達手段として、近距離無線通信（ＮＦＣ）技術に加えて、二次元バーコードが、空港の搭乗やコンサート会場の入場時の認証、デジタル決済等に広く使用されている。二次元バーコードによる情報伝達技術は、無線通信技術よりも、第三者に傍受されるリスクが小さい。したがって、サーバ等に予め必要な情報を登録し、二次元バーコードを読み出した情報を照合することによって、短時間に、かつ、高度なセキュリティーで手続きを完了できることが利点として挙げられる。
【０００３】
また、携帯電子機器は小型軽量化した携帯端末となっている、携帯端末と情報提供業者の間で、インターネット等のコンピュータネットワーク（以下、ネットワーク、という）を介して、データの送受信をおこなうことが広く普及している。携帯端末は、カメラ、液晶（ＬＣ）表示装置あるいはエレクトロルミネッセンス（ＥＬ）表示装置を備え、また、位置情報を全地球測位システム（ＧＰＳ）等により得ることができる。例えば、特許文献２には、ＬＣ表示装置（ＬＣＤ）とＥＬ表示装置（ＥＬＤ）が積層された携帯端末が開示されている。
【先行技術文献】
【特許文献】
【０００４】
【特許文献１】特開２００８−３６１８３号公報
【特許文献２】米国公開特許２０１６／０２９９３８７Ａ１明細書
【発明の概要】
【発明が解決しようとする課題】
【０００５】
ディスプレイを有する携帯端末に二次元バーコードを表示させて、情報伝達をおこなう新規な、電子機器とその駆動方法、使用方法、ソフトウェア、ビジネス方法等が開示される。
【課題を解決するための手段】
【０００６】
反射型素子を有する層と、それに積層する、非反射型素子を有する層と、を有するディスプレイユニットを有し、非反射型素子に信号を供給して表示をおこなう第１の状態 と、非反射型素子に信号を供給せず、反射型素子に信号を供給し、リフレッシュ周波数１Ｈｚ以下で表示をおこなう第２の状態 と、を選択可能であり、バーコードを表示させる際には、ディスプレイユニットが第２の状態となるように設定されている電子機器が開示される。
【０００７】
また、プロセッサと、反射型素子を有する層と、それに積層する、非反射型素子を有する層と、を有するディスプレイユニットを有し、非反射型素子に信号を供給して表示をおこなう第１の状態と、非反射型素子に信号を供給せず、反射型素子に信号を供給し、リフレッシュ周波数１Ｈｚ以下で表示をおこなう第２の状態と、を選択可能である電子機器において、第１の状態で表示をおこなう第１の過程と、第１の過程の後、バーコードを第２の状態で表示させる第２の過程と、第２の過程の後、第１の状態で表示をおこなう第３の過程と、を有する電子機器の駆動方法 、および、プロセッサに第１の過程、第２の過程、第３の過程を実行させるコンピュータプログラムが開示される。
【０００８】
また、反射型素子を有する層と、それに積層する、非反射型素子を有する層と、を有するディスプレイユニットを有し、非反射型素子に信号を供給して表示をおこなう第１の状態と、非反射型素子に信号を供給せず、反射型素子に信号を供給し、リフレッシュ周波数１Ｈｚ以下で表示をおこなう第２の状態と、を選択可能である電子機器において、第２の状態で表示された認証のためのバーコードにバーコードリーダより光を照射し、その反射光をバーコードリーダで読み取る過程と、認証のためのバーコードより得られた情報を照合し、電子機器の保有者にサービスまたは物品を提供するか否かを判定する過程と、を有するビジネス方法 が開示される。
【０００９】
ここで、電子機器は、電子機器とバーコードリーダの間の距離が一定の値以下となると、認証のためのバーコードを表示し、電子機器とバーコードリーダの間の距離が一定の値より大きくなると、認証のためのバーコードの表示をやめるように設定されていてもよい。認証のためのバーコードをバーコードリーダで読み取る過程の前に、電子機器に第２の状態で電子機器を特定するためのバーコードを表示させる過程と、電子機器を特定するためのバーコードをバーコードリーダで読み取る過程と、電子機器を特定するためのバーコードより得られた情報を照合し、電子機器を特定し、第１のバーコードの表示を電子機器に求める過程と、を有してもよい。また、バーコードリーダが、事前に定められた時間内に認証のためのバーコード（あるいは電子機器を特定するためのバーコード）を読み取ることができなかった場合には、電子機器に認証のためのバーコード（あるいは電子機器を特定するためのバーコード）の表示を中止させてもよい。
【００１０】
上記において、ディスプレイユニットはタッチ検出機能を有し、第１の状態では、タッチ検出機能が有効 に設定され、バーコードを表示させる際には、タッチ検出機能が無効 に設定され、近距離無線通信機能が有効に設定されてもよい。また非反射型素子は自発光素子でもよい。
【発明の効果】
【００１１】
上記によれば、２以上の表示層が積層して設けられる携帯端末にバーコードを表示させる場合に、携帯端末は、非反射型素子を用いた表示を停止し、反射型素子を用いて、アイドリング・ストップ法で表示を実行し、また、その他の多くの回路、機能を待機モードとする。そのため、バーコード表示の際の携帯端末の消費電力を低減できる。二次元バーコードは、光源を有するバーコードリーダにより読み取られ、サーバのデータと照合される。二次元バーコードによる携帯端末の情報伝達は、ＮＦＣやインターネットとも組み合わされ、高い機密性を要求される情報の伝達に二次元バーコードを用いることで、全体としてセキュリティーを高めることができる。低消費電力で高度なセキュリティーの情報伝達が可能となる。その他の利点については、以下を参照すればよい。
【図面の簡単な説明】
【００１２】
【図１】携帯端末の例を示す。
【図２】携帯端末のブロック図の例を示す。
【図３】携帯端末のブロック図の例を示す。
【図４】携帯端末のブロック図の例を示す。
【図５】（Ａ）レジスタユニットの例を示す。（Ｂ）不揮発性レジスタと揮発レジスタの例を示す。
【図６】レジスタユニットの動作例を示す。
【図７】携帯端末を用いて実行される処理の流れの例を示す。
【図８】携帯端末、バーコードリーダ、サーバの動作の例を示す。
【図９】（Ａ）携帯端末の認証前の表示の例を示す。（Ｂ）携帯端末の二次元バーコードの表示の例を示す。
【図１０】（Ａ）認証に成功した携帯端末の表示の例を示す。（Ｂ）認証に失敗した携帯端末の表示の例を示す。
【図１１】（Ａ）（Ｂ）携帯端末で実行される処理の流れの例を示す。
【図１２】携帯端末で実行される処理の流れの例を示す。
【図１３】携帯端末で実行される処理の流れの例を示す。
【図１４】（Ａ）携帯端末の認証前の表示の例を示す。（Ｂ）携帯端末の二次元バーコードの表示の例を示す。
【図１５】表示装置の構成例を説明する、模式図及び状態遷移図。
【図１６】表示装置の構成例を説明する、回路図及びタイミングチャート。
【図１７】表示装置の一例を示す斜視図。
【図１８】表示装置の一例を示す断面図。
【図１９】表示装置の一例を示す断面図。
【図２０】表示装置の一例を示す断面図。
【発明を実施するための形態】
【００１３】
以下、実施の形態について図面を参照しながら説明する。ただし、実施の形態は多くの異なる態様で実施することが可能であり、趣旨及びその範囲から逸脱することなくその形態及び詳細を様々に変更し得ることは当業者であれば容易に理解される。従って、本発明は、以下の実施の形態の記載内容に限定して解釈されるものではない。また、一の実施の形態で記載されている技術は他の実施の形態に適用することも可能である。
【００１４】
なお、以下に説明する発明の構成において、同一部分又は同様な機能を有する部分には同一の符号を異なる図面間で共通して用い、その繰り返しの説明は省略する。また、同様の機能を指す場合には、ハッチパターンを同じくし、特に符号を付さない場合がある。
【００１５】
なお、本明細書で説明する各図において、膜や層、基板等の厚さや領域の大きさ等は、個々に説明の明瞭化のために誇張されている場合がある。よって、必ずしも各構成要素はその大きさに限定されず、また各構成要素間での相対的な大きさに限定されない。
【００１６】
なお、本明細書等において、第１、第２等として付される序数詞は、便宜上用いるものであって工程の順番や積層の順番等を示すものではない。そのため、例えば、「第１の」を「第２の」又は「第３の」等と適宜置き換えて説明することができる。また、本明細書等に記載されている序数詞と、本発明の一態様を特定するために用いられる序数詞は一致しない場合がある。
【００１７】
本明細書等において、「ハイブリッド表示」とは、１つのパネルにおいて、反射光と、自発光や透過光とを併用して、色調または光強度を互いに補完して、文字または画像を表示する方法である。または、ハイブリッド表示とは、同一画素または同一副画素において複数の表示素子から、それぞれの光を用いて、文字及び／または画像を表示する方法である。ただし、ハイブリッド表示を行っているハイブリッドディスプレイを局所的にみると、複数の表示素子のいずれか一を用いて表示される画素または副画素と、複数の表示素子の二以上を用いて表示される画素または副画素と、を有する場合がある。本明細書等において、上記構成のいずれか１つまたは複数の表現を満たすものを、ハイブリッド表示という。 
【００１８】
また、「ハイブリッドディスプレイ」とは、同一画素または同一副画素に複数の表示素子を有する。なお、複数の表示素子としては、例えば、光を反射する反射型素子と、光を射出する自発光素子、光を選択的に透過する透過型素子とが挙げられる。自発光素子と透過型素子を非反射型素子ともいう。なお、反射型素子と、非反射型素子とは、それぞれ独立に制御することができる。ハイブリッドディスプレイは、表示部において、反射光、及び自発光／透過光のいずれか一方または双方を用いて、文字及び／または画像を表示する機能を有する。
【００１９】
（実施の形態１）
開示される電子機器の例を図１に示す。電子機器（デバイス１０）は、少なくとも、タッチ検出機能のあるディスプレイユニット１１と、受話器スピーカー１２と、フロントカメラ１３と、電源ボタン１４と、ホームボタン１５とを有する携帯端末である。この構成自体は、従来の携帯電子機器と同じである。
【００２０】
また、デバイス１０は、バッテリーに蓄積された電力量あるいは外部から供給される電力量が十分である場合に、ユーザーが操作することにより、起動（Ｂｏｏｔ）させることができる。また、ユーザーの操作により、シャットダウンされることができる。シャットダウンは、バッテリーに蓄積された電力量が基準を下回った場合、かつ、外部から十分な電力が供給されていない場合に、自動的に実行されることもある。この動作自体は、従来の携帯電子機器と同じである。
【００２１】
しかし、以下に説明するように、デバイス１０は、起動からシャットダウンまでの期間において、従来の電子機器と動作が異なることがある。
【００２２】
従来の電子機器では、電源ボタンを操作することで、ディスプレイが点灯し、ユーザーが必要とする情報が得られる。この状態を、以下では、アクティブモードという。また、従来の電子機器では、電源ボタンを操作することで、ディスプレイが消灯する。あるいは、一定時間、ユーザーが操作しなかった場合にもディスプレイが消灯する。この状態を、以下では、スリープモードという。
【００２３】
デバイス１０でも、ユーザーは電源ボタン１４を操作することで、スリープモードのデバイス１０を、アクティブモードに移行させ、ディスプレイユニット１１にその後の操作に必要な情報の表示を開始させることができる。例えば、複数のアプリケーションソフトのアイコンや、電池残量、電波強度等を示す数値や記号がディスプレイユニット１１に表示される。また、タッチ検出機能も有効である。この点は、従来の電子機器と同じである。ユーザーは、タッチ検出機能を使用して、画面を操作することによって、必要な情報を得ること、あるいは情報を発信することができる。
【００２４】
デバイス１０では、バーコードを表示する際には、通常のアクティブモードとは異なる表示状態となる。この状態を、バーコード表示モードという。バーコード表示モードは、バーコードを表示するだけでよいので、それ以外の機能は可能な限り停止できる。例えば、バーコードリーダが発光装置を有する場合には、ディスプレイユニット１１は、発光する必要がない。
【００２５】
そこで、ディスプレイユニット１１は、反射型素子を有し、かつ、表示データを頻繁にリフレッシュする必要の無いタイプであることが好適である。例えば、デバイス１０は、リフレッシュ周波数を、１Ｈｚ、例えば、０．１Ｈｚ以下にまで極度に低くしたアイドリング・ストップ（ＩＤＳ）法で駆動できるディスプレイを有するとよい。
【００２６】
例えば、特許文献２に記載されているディスプレイのように、マトリクス状に配置した複数の反射型素子とマトリクス状に配置した複数の非反射型素子が積層した構造のディスプレイは、ユーザーが積極的にデバイス１０を使用する際には、反射型素子のみを使用する（第１のモード）、あるいは非反射型素子のみを使用する（第２のモード）、あるいは反射型素子と非反射型素子を使用する（第３のモード）、とシチュエーションにあわせて様々に表示モードを選択できる。
【００２７】
また、これら以外に、反射型素子と非反射型素子のいずれにも表示のための信号を供給せず、表示をさせないモード（非表示モード）もある。非表示モードでは表示はおこなわれない。
【００２８】
例えば、アクティブモードでは、第１のモード、第２のモードあるいは第３のモードのいずれかで表示をおこない、かつ、タッチ検出機能を使用できるようにするとよい。一方、スリープモードでは、非表示モードを使用し、かつ、タッチ検出機能を使用できないようにするとよい。
【００２９】
一方、バーコード表示モードでは、第１のモードで表示をおこない、かつ、タッチ検出機能を使用できないようにするとよい。その結果、バーコード表示モードで、ユーザーや周辺の機器が不用意にディスプレイユニット１１に触れたとしても、デバイス１０が不本意な動作を実行することはない。
【００３０】
第１のモードで、かつ、静止画を表示する際には、消費電力を無視できるほど小さくできる。つまり、長時間、情報を表示させたとしても、デバイス１０は、プロセッサの待機電力程度しか電力を消費しない。また、バーコード表示モードでは、表示が第１のモードで実行されることに加えて、タッチ検出機能も利用できないようにするので、それに関連する回路の消費電力も無くなる。結果として、バーコード表示モードでの消費電力は、スリープモードよりもわずかに多い程度である。
【００３１】
＜デバイス１０＞
デバイス１０の詳細について、図２を用いて説明する。図２に示されるように、デバイス１０はプロセッサ１０１、メモリ１０２、無線通信モジュール１０３、ディスプレイコントローラ１０４、オーディオコントローラ１０５、カメラコントローラ１０６、ＧＰＳモジュール１０７、タッチコントローラ１０８を有する。これらは、バス１００によって、相互にデータの送受信が可能である。また、デバイス１０はディスプレイユニット１１を有する。
【００３２】
オーディオコントローラ１０５には、マイクロフォン１６より音響信号が入力可能であり、オーディオコントローラ１０５からは、受話器スピーカー１２に音響信号が出力される。
【００３３】
ディスプレイコントローラ１０４は、ディスプレイユニット１１に画像信号を送信する。ディスプレイユニット１１では、性質の異なる表示層が積層されている。例えば、反射型表示層と非反射型表示層が積層されていてもよい。
【００３４】
反射型表示層としては、反射層を内部あるいは外部に伴う液晶層、反射層を内部あるいは外部に伴う微小電気機械システム（ＭＥＭＳ）、エレクトロニックインク層等を用いることができる。非反射型表示層としては、ＥＬ層、バックライト等の光源を伴う液晶層、微小な発光ダイオード（マイクロＬＥＤ）の層等を用いることができる。いずれにしても、それらを用いて表示をおこなわせるための能動素子、受動素子が近接して設けられていてもよい。
【００３５】
以下では、ディスプレイユニット１１はタッチセンサ１１ａと液晶層１１ｂとＥＬ層１１ｃとが積層された構造を有する例を示す。ここで、液晶層１１ｂとＥＬ層１１ｃの間には、反射層が設けられている。反射層には、複数の開口が設けられ、ＥＬ層１１ｃから放射された光が、開口を通して、液晶層１１ｂに到達することが可能である。液晶層１１ｂ、ＥＬ層１１ｃには、表示に用いる信号を制御するためのトランジスタや配線、電極、容量素子等が設けられていてもよい。なお、液晶層１１ｂを含む特定の領域を反射型液晶表示層、ＥＬ層１１ｃを含む特定の領域をＥＬ表示層、とも称する。ディスプレイユニット１１の詳細は後述される。
【００３６】
タッチコントローラ１０８とタッチセンサ１１ａとの間にも信号のやり取りがある。例えば、タッチコントローラ１０８からタッチセンサ１１ａにドライブ信号が送信され、また、タッチセンサ１１ａからタッチコントローラ１０８に、検出信号が入力される。タッチセンサ１１ａが静電容量式の場合、タッチセンサのドライブラインは、センスラインと交差し、ドライブ信号は、ドライブラインに入力される。ドライブラインとセンスラインとの間の容量結合により、センスラインの電位（検出信号）は、ドライブ信号に応じて、変化するが、ライブラインとセンスラインとの交差部に導電性の材料があると、その変化の度合いが変動する。
【００３７】
上記のように、バーコード表示モードでは、反射型表示層のみを用いて表示をおこなう。ディスプレイユニット１１に表示されたバーコードは、バーコードリーダ１７から放射された光１８の反射光１９として、バーコードリーダ１７で読み取れる。バーコードリーダ１７はサーバ２０（あるいはそれと同等な機能を有する装置）に読み取ったデータを送信し、サーバ２０は、バーコードリーダ１７から送信されたデータの真偽を判定する。
【００３８】
図３は、ディスプレイコントローラ１０４、タッチコントローラ１０８、タッチセンサ１１ａ、液晶層１１ｂとＥＬ層１１ｃとそれらの周辺の回路（タイミングコントローラ１１２、液晶層１１ｂを用いた表示のためのデータを書き込むためのディスプレイドライバ（ＬＣＤドライバ１１３）、ＥＬ層１１ｃを用いた表示のためのデータを書き込み、また、ＥＬ層１１ｃを発光させる電力の供給のためのディスプレイドライバ（ＥＬＤドライバ１１４））を示す。タイミングコントローラ１１２は、ＬＣＤドライバ１１３、ＥＬＤドライバ１１４等で使用するタイミング信号を生成する機能を有する。
【００３９】
ディスプレイコントローラ１０４は、インターフェース１０９、メモリ１１０ａ、メモリ１１０ｂ、画像処理部１１１を有する。なお、「メモリ１１０ａ」、「メモリ１１０ｂ」は、機能的な表現であり、必ずしも個別に存在しているものではない。例えば、１つのメモリマトリクスのある部分が、ある時間では、メモリ１１０ａとして機能していても、別の時間では、メモリ１１０ｂとして機能することがある。したがって、メモリ１１０ａ、メモリ１１０ｂをまとめてメモリ１１０と表現することもある。
【００４０】
ディスプレイコントローラ１０４は、インターフェース１０９を介して、バス１００とデータの送受信をおこなう。例えば、プロセッサ１０１等、信号を供給する回路やモジュール（以下、ホストを称する）からディスプレイユニット１１に表示すべきデータが、バス１００を介してインターフェース１０９に入力される。インターフェース１０９を通過したデータはメモリ１１０ａおよび／またはメモリ１１０ｂに送られる。前者を第１のデータ、後者を第２のデータと呼ぶ。
ぶ。
【００４１】
第１のデータ、第２のデータは、画像処理部１１１で、復号、伸長等の変換処理と、ガンマ補正、調色・調光等の画像補正を施される。そして、それぞれ、ＬＣＤドライバ１１３、ＥＬＤドライバ１１４にタイミングコントローラ１１２で生成されるタイミング信号に合わせて送出され、液晶層１１ｂ、ＥＬ層１１ｃの面内に電気的な作用（偏光の程度や発光の強弱）を及ぼす。これらの作用は、直接あるいは間接に視認することが可能である。その結果、ディスプレイユニット１１では第１のデータによる画像と第２のデータによる画像を重なって視認できる。
【００４２】
また、タッチセンサ１１ａで取得された信号は、タッチコントローラ１０８、バス１００を介して、ホストに送信される。
【００４３】
また、環境光に関する情報を、光センサを用いて取得し、調色処理・調光処理のパラメータを設定してもよい。光センサの代わりにフロントカメラ１３を用いてもよい。このような例を、図４を用いて説明する。図４に示すシステムは、さらに、レジスタユニット１１６を有する。なお、図４では、タッチコントローラ１０８、タッチセンサ１１ａは記載されていないが、図３と同様に動作する。
【００４４】
レジスタユニット１１６は、ディスプレイコントローラ１０４やタイミングコントローラ１１２、その他の回路の動作に用いられるデータを格納する。レジスタユニット１１６が格納するデータには、画像処理部１１１が補正処理を行うために使用するパラメータ、タイミングコントローラ１１２が各種タイミング信号の波形生成に用いるパラメータ等がある。
【００４５】
図３と同様に、ディスプレイコントローラ１０４は、インターフェース１０９、メモリ１１０、画像処理部１１１を有する。画像処理部１１１は、ガンマ補正回路１１７、調光回路１１８、調色回路１１９、ＥＬ補正回路１２０を有する。ガンマ補正回路１１７、調光回路１１８、調色回路１１９、ＥＬ補正回路１２０は、米国特許公開２０１５／０３２５２８２号明細書に開示されたメモリを有してもよい。
【００４６】
ＥＬ補正回路１２０は、ＥＬＤドライバ１１４にＥＬ層１１ｃを流れる電流を検出する電流検出回路を備えている場合に設けられる。ＥＬ補正回路１２０は、ＥＬＤドライバ１１４の電流検出回路から送信される信号に基づいて、ＥＬ層１１ｃの輝度を調節する機能をもつ。
【００４７】
カメラコントローラ１０６はセンサコントローラ１１５を有する。センサコントローラ１１５には、フロントカメラ１３が電気的に接続されている。フロントカメラ１３は環境光の強度、色調を検知し、検知信号を生成する。センサコントローラ１１５は検知信号を基に、制御信号を生成する。センサコントローラ１１５で生成される制御信号は、カメラコントローラ１０６から、例えば、画像処理部１１１やレジスタユニット１１６に出力される。また、画像処理部１１１やレジスタユニット１１６からの信号も、カメラコントローラ１０６に送られる。
【００４８】
例えば、画像処理部１１１は、センサコントローラ１１５から送信される制御信号が環境光の明るさに関する情報を含む場合、環境光の明るさに関する情報に応じて、ＬＣＤドライバ１１３とＥＬＤドライバ１１４に出力する信号を個別に調整することができる。この調整を調光、あるいは調光処理と呼び、調光回路１１８で実行される。
【００４９】
例えば、晴天の日中に太陽光の下でデバイス１０を使用する場合、ＥＬ層１１ｃを光らせる必要はない。したがって、ＬＣＤドライバ１１３に、より液晶層１１ｂの透過率が高まるような信号を出力し、ＥＬＤドライバ１１４に、よりＥＬ層１１ｃの発光が弱まるような信号を出力する。逆に、夜間や暗所でデバイス１０を使用する場合、ＥＬ層１１ｃを光らせて表示を行う。したがって、ＬＣＤドライバ１１３に、より液晶層１１ｂの透過率が下がるような信号を出力し、ＥＬＤドライバ１１４に、よりＥＬ層１１ｃの発光が強まるような信号を出力する。
【００５０】
このように、環境光の強度に応じて、画像処理部１１１は、液晶層１１ｂのみを用いて表示を行う画像データを作成、もしくはＥＬ層のみを用いて表示を行う画像データを作成、もしくは液晶層１１ｂとＥＬ層１１ｃの双方を用いて表示を行う画像データを作成することができる。明るい環境においても、暗い環境においても、デバイス１０は良好な表示を行うことができる。さらに、明るい環境においては、ＥＬ層１１ｃを光らせない、もしくはＥＬ層１１ｃの輝度を低くすることで、消費電力を低減することができる。
【００５１】
また、液晶層１１ｂを用いた表示に、ＥＬ層１１ｃを用いた表示を組み合わせることで、色調を補正することができる。このような色調補正のためには、センサコントローラ１１５から送信される制御信号に、環境光の色調を含む情報を追加すればよい。例えば、夕暮れ時の赤みがかった環境においてデバイス１０を使用する場合、液晶層１１ｂのみを用いた表示では青成分が足りない（赤っぽく見える）。制御信号に、環境光の色調が赤っぽいという情報が含まれていれば、ＥＬ層１１ｃで青（Ｂ）や緑（Ｇ）をより強く発光させることで、色調を補正することができる。この補正を調色、あるいは調色処理と呼び、調色回路１１９で実行される。
【００５２】
画像処理部１１１は、デバイス１０の仕様によって、ＲＧＢ−ＲＧＢＷ変換回路等、他の処理回路を有している場合がある。ＲＧＢ−ＲＧＢＷ変換回路とは、ＲＧＢ（赤、緑、青）画像データを、ＲＧＢＷ（赤、緑、青、白）画像信号に変換する機能をもつ回路である。すなわち、ディスプレイユニット１１がＲＧＢＷ４色の画素を有する場合、画像データ内のＷ（白）成分を、Ｗ（白）画素を用いて表示することで、消費電力を低減することができる。なお、ＲＧＢ−ＲＧＢＷ変換回路はこれに限らず、例えば、ＲＧＢ−ＲＧＢＹ（赤、緑、青、黄）変換回路等でもよい。
【００５３】
ガンマ補正、調光、調色等の画像補正処理は、入力の画像データＸに対して出力の補正データＹを作成する処理に相当する。画像処理部１１１が使用するパラメータは、画像データＸを、補正データＹに変換するためのパラメータである。
【００５４】
パラメータの設定方式には、テーブル方式、関数近似方式がある。あらゆる画像データに対して自由に補正データを生成したい場合には、テーブル方式を採用するとよい。テーブル方式では、対応するパラメータを格納するため大容量のメモリを必要とするが、補正の自由度が高い。一方、あらかじめ経験的に画像データに対する補正データを決められる場合には、関数近似方式を採用する構成が有効である。関数近似方式では、区間毎に線形近似する方法、非線形関数で近似する方法、等が可能である。関数近似方式では、補正の自由度は低いが、関数を定義するパラメータを格納するメモリが少なくて済む。
【００５５】
タイミングコントローラ１１２の各種タイミング信号の波形調整に用いるパラメータは、基準となる信号に対して、“Ｈ”もしくは“Ｌ”となるタイミングをクロック何周期分かを示すパラメータを格納する。
【００５６】
これらの補正のためのパラメータは、レジスタユニット１１６に格納することができる。また、上記以外にレジスタユニット１１６に格納できるパラメータとしては、ＥＬ補正回路１２０のデータ、ユーザーが設定した輝度、色調、省エネルギー設定（表示を暗くする、または表示を消す、までの時間）、タッチセンサ１１ａの感度等がある。
【００５７】
送られる画像データに変化がない場合、ディスプレイコントローラ１０４内（および／またはその周辺の回路）（の一部）の電力供給を停止することができる。このような選択的な電力供給の停止をパワーゲーティングという。具体的には、例えば、メモリ１１０、画像処理部１１１、タイミングコントローラ１１２、ＬＣＤドライバ１１３、ＥＬＤドライバ１１４、レジスタユニット１１６の電源供給を停止することができる。電源供給の停止は、例えば、プロセッサ１０１の指示で実行される。
【００５８】
上記の回路は、画像データに関する回路と、ディスプレイユニット１１を駆動するための回路であるため、画像データに変化がない場合は、一時的に電源供給を停止することができる。なお、電源供給を停止する期間は、画像データに変化がない場合でも、ディスプレイユニット１１に使用されるトランジスタがデータを保持できる時間（アイドリング・ストップが可能な時間、米国特許公開２０１４／０３６８４８８号明細書参照）、および液晶層１１ｂの焼き付き防止のため行われる反転駆動の時間を考慮して決定してもよい。
【００５９】
なお、メモリ１１０に画像データを保存しておき、反転駆動時に、ＬＣＤドライバ１１３に供給する画像データとすることが可能である。このようにすることで、ディスプレイコントローラ１０４外部（ホスト等）から画像データを送信することなく反転駆動が実行できる。したがって、データ送信量を低減でき、デバイス１０全体の消費電力を低減することができる。
【００６０】
また、バーコード表示状態では、上記に加えて、タッチコントローラ１０８への電源供給も停止できる。バーコード表示状態では、アイドリング・ストップ法により、周期的に画像のリフレッシュがおこなわれるため、その都度、ディスプレイコントローラ１０４やタイミングコントローラ１１２、ＬＣＤドライバ１１３に電源が供給されるが、タッチコントローラ１０８への電源供給は不要である。スリープ状態では、リフレッシュもおこなわれないので、タッチコントローラ１０８への電源供給に加えて、ディスプレイコントローラ１０４への電源の供給も全面的に不要である。
【００６１】
＜レジスタユニット１１６＞
以下、レジスタユニット１１６の具体的な回路構成を説明する。図５（Ａ）は、レジスタユニット１１６の構成例を示すブロック図である。レジスタユニット１１６は、スキャンチェーンレジスタ列１１６Ａおよびレジスタ列１１６Ｂを有する。
【００６２】
スキャンチェーンレジスタ列１１６Ａは、複数（この場合は、ｎ個）の不揮発性レジスタ１２１を有する。レジスタ列１１６Ｂは、複数（この場合は、ｎ個）の揮発性レジスタ１２２を有する。複数の不揮発性レジスタ１２１によって、スキャンチェーンレジスタが構成されている。
【００６３】
第１段乃至第ｋ段の揮発性レジスタ１２２は、出力データＱ（１）乃至出力データＱ（ｋ）を画像処理部１１１に、第（ｋ＋１）段乃至第ｎ段の揮発性レジスタ１２２は、出力データＱ（ｋ＋１）乃至出力データＱ（ｎ）をタイミングコントローラ１１２に、それぞれ出力するように設計されている。
【００６４】
レジスタユニット１１６の第１段の不揮発性レジスタ１２１（１）には、スキャン入力データＳＩＮが順次、入力される。スキャン入力データＳＩＮはスキャンクロック信号ＳＣＬＫにしたがって、第２段以降の不揮発性レジスタ１２１に順次、転送される。第ｎ段の不揮発性レジスタ１２１（ｎ）からは、スキャン出力データＳＯＵＴが出力される。
【００６５】
不揮発性レジスタ１２１は、電源が遮断された状態でもデータを消失しない。不揮発性レジスタ１２１を不揮発化するため、ここでは、不揮発性レジスタ１２１は、酸化物半導体（ＯＳ）トランジスタを用いた保持回路を備えている。
【００６６】
他方、揮発性レジスタ１２２は揮発性レジスタである。揮発性レジスタ１２２の回路構成には特段の制約はなく、データを記憶することが可能な回路であればよく、ラッチ回路、フリップフロップ回路などで構成すればよい。完全な揮発性である必要は無いが、より高速で動作できるものを用いるとよい。画像処理部１１１およびタイミングコントローラ１１２は、レジスタ列１１６Ｂにアクセスし、対応する揮発性レジスタ１２２からデータを取り込む。あるいは、画像処理部１１１、およびタイミングコントローラ１１１２は、レジスタ列１１６Ｂから供給されるデータにしたがって、処理内容が制御される。
【００６７】
レジスタユニット１１６に格納しているデータを更新する場合、まず、スキャンチェーンレジスタ列１１６Ａのデータを変更する。スキャンチェーンレジスタ列１１６Ａの各不揮発性レジスタ１２１のデータを書き換えた後、各不揮発性レジスタ１２１のデータを、レジスタ列１１６Ｂの対応する揮発性レジスタ１２２に一括してロードする。
【００６８】
これにより、画像処理部１１１、およびタイミングコントローラ１１１２等は、一括して更新されたデータを使用して、各種処理を行うことができる。データの更新に同時性が保たれるため、安定した動作を実現できる。スキャンチェーンレジスタ列１１６Ａとレジスタ列１１６Ｂとを備えることで、画像処理部１１１およびタイミングコントローラ１１２が動作中でも、スキャンチェーンレジスタ列１１６Ａのデータを更新することができる。
【００６９】
パワーゲーティング実行時には、不揮発性レジスタ１２１において、保持回路にデータを格納してから電源を遮断する。電源復帰後、不揮発性レジスタ１２１のデータを揮発性レジスタ１２２にロードして通常動作を再開する。なお、不揮発性レジスタ１２１に格納されているデータと揮発性レジスタ１２２に格納されているデータとが整合しない場合は、揮発性レジスタ１２２のデータを不揮発性レジスタ１２１にセーブした後、あらためて、不揮発性レジスタ１２１の保持回路にデータを格納することが好ましい。
【００７０】
＜不揮発性レジスタ／揮発性レジスタの回路構成＞
図５（Ｂ）に、不揮発性レジスタ１２１、揮発性レジスタ１２２の回路構成例を示す。図５（Ｂ）には、スキャンチェーンレジスタ列１１６Ａの第２段の不揮発性レジスタ１２１（２）と、不揮発性レジスタ１２１（２）に対応する揮発性レジスタ１２２（２）を示している。不揮発性レジスタ１２１（１）、不揮発性レジスタ１２１（３）乃至不揮発性レジスタ１２１（ｎ）、揮発性レジスタ１２２（１）、揮発性レジスタ１２２（３）乃至揮発性レジスタ１２２（ｎ）も同様な構成である。
【００７１】
不揮発性レジスタ１２１（２）は、セレクタｍｕｘ、保持回路１２３（２）、インバータループ１２４（２）、インバータループ１２５（２）を有する。
【００７２】
保持回路１２３（２）には、信号ＳＡＶＥ２、信号ＬＯＡＤ２が入力される。保持回路１２３（２）は、トランジスタｔ１乃至トランジスタｔ６、容量素子ｃ１、容量素子ｃ２を有する。トランジスタｔ１、トランジスタｔ２はＯＳトランジスタである。
【００７３】
トランジスタｔ１、トランジスタｔ３、トランジスタｔ４および容量素子ｃ１により、３トランジスタ型のゲインセルが構成される。同様に、トランジスタｔ２、トランジスタｔ５、トランジスタｔ６および容量素子ｃ２により、３トランジスタ型のゲインセルが構成される。インバータループ１２４（２）が保持する相補データは、保持回路１２３（２）に転送された後、２個のゲインセルによって記憶される。トランジスタｔ１、トランジスタｔ２がＯＳトランジスタであるので、保持回路１２３（２）は、電源が遮断された状態でも長時間データを保持することが可能である。
【００７４】
保持回路１２３（２）は、信号ＳＡＶＥ２に従い、インバータループ１２４（２）が保持する相補データを格納し、信号ＬＯＡＤ２に従い、保持しているデータをインバータループ１２４（２）にロードする。
【００７５】
インバータループ１２４（２）は、インバータｉ２とインバータｉ３を、インバータループ１２５（２）は、インバータｉ５とインバータｉ６を、それぞれ有する。
【００７６】
インバータループ１２４（２）の第１端子には、アナログスイッチａ１を介して、セレクタｍｕｘの出力端子が電気的に接続されている。インバータループ１２４（２）の第２端子には、アナログスイッチａ２を介して、インバータループ１２５（２）の第１端子が電気的に接続されている。インバータループ１２５（２）の第２端子には、揮発性レジスタ１２２（２）の入力端子が電気的に接続されている。なお、インバータループ１２５（２）の第２端子の信号は、信号ＯＵＴとして、次段の不揮発性レジスタ１２１（３）のセレクタｍｕｘに入力される。
【００７７】
アナログスイッチａ１、アナログスイッチａ２の導通状態は、スキャンクロック信号ＳＣＬＫによって制御される。アナログスイッチａ１、アナログスイッチａ２には、スキャンクロック信号ＳＣＬＫに加えて、それぞれにインバータｉ１とインバータｉ４を介した信号が入力される。
【００７８】
例えば、スキャンクロック信号ＳＣＬＫがハイレベルであれば、アナログスイッチａ１はオフとなり、アナログスイッチａ２はオンとなる。スキャンクロック信号ＳＣＬＫがローレベルであれば、アナログスイッチａ１はオンとなり、アナログスイッチａ２はオフとなる。このように、アナログスイッチａ１とアナログスイッチａ２は、互いに逆の状態となる。
【００７９】
セレクタｍｕｘの２個の入力端子の一方には、揮発性レジスタ１２２（２）の出力が入力され、他方には、信号ＩＮが入力される。信号ＩＮは、前段の不揮発性レジスタ１２１（１）のインバータループ１２５（２）の第１端子が保持する信号である。なお、スキャンチェーンレジスタ列１１６Ａの初段のセレクタｍｕｘの入力端子は、レジスタユニット１１６の外部からスキャン入力データＳＩＮが入力される。
【００８０】
セレクタｍｕｘは、信号ＳＡＶＥ１により制御される。具体的には、信号ＳＡＶＥ１がハイレベルのときは、揮発性レジスタ１２２（２）からの信号を選択し、信号ＳＡＶＥ１がローレベルのときは、信号ＩＮ（初段の場合は、外部からのスキャン入力データＳＩＮ）を選択する。
【００８１】
揮発性レジスタ１２２（２）は、インバータループ１２６とアナログスイッチａ３を有する。インバータループ１２６は、インバータｉ８とクロックドインバータｃｉを有する。インバータループ１２６の第１端子には、アナログスイッチａ３を介して、インバータループ１２５（２）の第２端子が電気的に接続する。また、インバータループ１２６の第１端子の信号は、出力データＱ（２）として、バッファｂｆを介して、画像処理部１１１に出力される。また、インバータループ１２６の第２端子には、インバータｉ９を介して、セレクタｍｕｘの一方の端子が電気的に接続する。
【００８２】
アナログスイッチａ３の導通状態は、信号ＬＯＡＤ１によって制御される。アナログスイッチａ３には、信号ＬＯＡＤ１と、インバータｉ７を介した信号が入力される。この結果、信号ＬＯＡＤ１がハイレベルとなると、不揮発性レジスタ１２１（２）の出力（インバータループ１２５（２）の第２端子の信号）が、インバータループ１２６に入力される。
【００８３】
不揮発性レジスタ１２１（２）において、トランジスタｔ１、トランジスタｔ２以外のトランジスタはシリコン（Ｓｉ）トランジスタで構成すればよい。また、揮発性レジスタ１２２（２）のトランジスタはＳｉトランジスタで構成すればよい。
【００８４】
＜不揮発性レジスタ／揮発性レジスタの動作例＞
次に、レジスタユニット１１６の動作例を、図６を用いて説明する。ここでは、インバータループ１２４（１）乃至インバータループ１２４（ｎ）に、Ｄ１乃至Ｄｎが格納される（つまり、インバータループ１２４（１）乃至インバータループ１２４（ｎ）の第１端子の電位が、それぞれ、Ｄ１乃至Ｄｎに対応したものとなる）場合について説明する。なお、Ｄ１乃至Ｄｎは、いずれも、“０”と“１”（あるいは“Ｈ”と“Ｌ”、「ハイレベル」と「ローレベル」）のいずれかに相当する１ビットのデータである。なお、本明細書においては、１ビットのデータも「データ」と表記される。
【００８５】
図６において、データＤＲはインバータループ１２５から出力されるデータ（インバータｉ５の出力電位あるいはインバータループ１２５の第２端子の電位に相当するデータ）を表し、データＤＳは、揮発性レジスタ１２２から出力されるデータ（インバータｉ９の出力電位に相当するデータ）を表し、データＤＳＲはインバータループ１２４に格納されているデータ（インバータｉ３の出力電位に相当するデータあるいはインバータループ１２４の第１端子の電位に相当するデータ）を表し、データＤＯＳは保持回路１２３に格納されているデータを表す。また、出力データＱは揮発性レジスタ１２２から出力されるデータを表し、画像処理部１１１やタイミングコントローラ１１２のパラメータに相当する。なお、出力データＱは、データＤＳと同じである。以下では、データＤＲ、データＤＳ、データＤＳＲ、データＤＯＳ、出力データＱの初期値は、“０”であるとするが、それに限定されない。
【００８６】
まず、第１の期間Ｐ１において、Ｄ１乃至Ｄｎにより構成されるスキャン入力データＳＩＮが、Ｄｎ、・・、Ｄ２、Ｄ１の順に入力される。スキャン入力データＳＩＮは、スキャンクロック信号ＳＣＬＫと同期して、インバータループ１２４（１）乃至インバータループ１２４（ｎ）に送られ、最終的には、それぞれにＤ１乃至Ｄｎが格納される。その結果、データＤＳＲ（１）乃至データＤＳＲ（ｎ）はＤ１乃至Ｄｎとなる。
【００８７】
なお、インバータループ１２５には、スキャンクロック信号ＳＣＬＫがハイレベルになった後で、インバータループ１２４のデータが入力される。したがって、インバータループ１２４（１）乃至インバータループ１２４（ｎ）よりやや遅れて、（スキャンクロック信号ＳＣＬＫがハイレベルになった後に）データＤＲ（１）乃至データＤＲ（ｎ）もＤ１乃至Ｄｎとなる。
【００８８】
次に、第２の期間Ｐ２において、信号ＬＯＡＤ１がハイレベルとなる。これにより、データＤＲ（１）乃至データＤＲ（ｎ）（それぞれ、Ｄ１乃至Ｄｎ）が、揮発性レジスタ１２２（１）乃至揮発性レジスタ１２２（ｎ）に一括で転送・格納される。その結果、出力データＱ（１）乃至出力データＱ（ｎ）として、それぞれ、Ｄ１乃至ＤＮが出力される。このように、スキャン入力データＳＩＮは、出力データＱ（１）乃至出力データＱ（ｎ）として一括で出力される。すなわち、画像処理部１１１やタイミングコントローラ１１２で使用するパラメータなどを一括して変更することが出来る。また、同時にデータＤＳ（１）乃至データＤＳ（ｎ）は、それぞれ、Ｄ１乃至ＤＮとなる。
【００８９】
次に、第３の期間Ｐ３において、信号ＳＡＶＥ１がハイレベルとなる。これにより、セレクタｍｕｘが、揮発性レジスタ１２２の出力をインバータループ１２４に入力させるので、データＤＳ（１）乃至データＤＳ（ｎ）（それぞれ、Ｄ１乃至Ｄｎ）が、インバータループ１２４（１）乃至インバータループ１２４（ｎ）に格納される。その結果、データＤＳＲ（１）乃至データＤＳＲ（ｎ）は、それぞれ、Ｄ１乃至Ｄｎとなる。また、スキャンクロック信号ＳＣＬＫがハイレベルになった後には、データＤＲ（１）乃至データＤＲ（ｎ）も、それぞれ、Ｄ１乃至Ｄｎとなる。
【００９０】
次に、第４の期間Ｐ４において、信号ＳＡＶＥ２がハイレベルとなる。これにより、データＤＳＲ（１）乃至データＤＳＲ（１）（それぞれ、Ｄ１乃至Ｄｎ）が、保持回路１２３（１）乃至保持回路１２３（ｎ）に格納される。すなわち、インバータループ１２４に格納されたデータが、保持回路１２３に退避させられる。その結果、データＤＯＳ（１）乃至データＤＯＳ（ｎ）は、それぞれ、Ｄ１乃至Ｄｎとなる。具体的には、図５（Ｂ）の容量素子ｃ１および容量素子ｃ２の電位がＤ１乃至Ｄｎに対応した電位となる。
【００９１】
次に、第５の期間Ｐ５において、電源電位ＶＤＤをローレベルとし、レジスタユニット１１６への電力の供給が停止させられる、これにより、インバータループ１２４、インバータループ１２５、インバータループ１２６に保持されているデータは失われる。ただし、保持回路１２３に格納されているデータＤＯＳ（１）乃至データＤＯＳ（ｎ）はレジスタユニット１１６への電力の供給が停止された期間においても保持されている。具体的には、図５（Ｂ）の容量素子ｃ１および容量素子ｃ２がＤ１乃至Ｄｎに対応した電位を保持する。
【００９２】
次に、第６の期間Ｐ６において、レジスタユニット１１６への電力の供給が再開され、さらに、信号ＬＯＡＤ２がハイレベルとなる。このとき、保持回路１２３（１）乃至保持回路１２３（ｎ）に保持されたデータＤＯＳ（１）乃至データＤＯＳ（ｎ）（それぞれ、Ｄ１乃至Ｄｎ）が、インバータループ１２４（１）乃至インバータループ１２４（ｎ）に転送・格納される。すなわち、保持回路１２３に退避させられたデータが、インバータループ１２４に復帰させられる。その結果、データＤＲ（１）乃至データＤＲ（ｎ）は、それぞれ、Ｄ１乃至Ｄｎとなる。
【００９３】
次に、第７の期間Ｐ７において、信号ＬＯＡＤ１がハイレベルとなる。これにより、データＤＲ（１）乃至データＤＲ（ｎ）（それぞれ、Ｄ１乃至ＤＮ）が、揮発性レジスタ１２２（１）乃至揮発性レジスタ１２２（ｎ）に転送・格納される。その結果、出力データＱ（１）乃至出力データＱ（ｎ）（および、データＤＳ（１）乃至データＤＳ（ｎ））としてＤ１乃至ＤＮが出力される。すなわち、保持回路１２３から復帰されたデータが、出力データＱとして画像処理部１１１およびタイミングコントローラ１１２に出力される。
【００９４】
なお、図６に示すように、第２の期間Ｐ２と第３の期間Ｐ３の間の期間においては、スキャン入力データＳＩＮは、Ｄ１乃至Ｄｎとは、異なる信号となるものとする。その結果、インバータループ１２４やインバータループ１２５に格納されたデータが変更される。しかしながら、例えば、インバータループ１２５のデータは、信号ＬＯＡＤ１によってのみ、揮発性レジスタ１２２に転送されるので、インバータループ１２５のデータが変更されただけでは、揮発性レジスタ１２２の出力データＱは変更されない。
【００９５】
また、第３の期間Ｐ３において、インバータループ１２４を揮発性レジスタ１２２の出力データＱ（インバータｉ９の出力電位と同じ）で上書きでき、揮発性レジスタ１２２に格納されているデータとインバータループ１２４に格納されているデータを整合させることができる。
【００９６】
例えば、第２の期間Ｐ２と第３の期間Ｐ３の間は、パラメータを更新するため、別のデータをスキャン入力データＳＩＮとして、スキャンチェーンレジスタ列１１６Ａに入力している途中である、とする。すなわち、インバータループ１２４には、それらのデータが順次入力される。
【００９７】
ここで、保持回路１２３にデータを退避する操作をおこなう必要が生じた場合、まず、第３の期間Ｐ３におこなうように、信号ＳＡＶＥ１をハイレベルとすると、揮発性レジスタ１２２に格納されているデータがインバータループ１２４に転送され、揮発性レジスタ１２２の出力データＱ（画像処理部１１１やタイミングコントローラ１１２のパラメータ）がインバータループ１２４に上書きされ、インバータループ１２４に格納されているデータと揮発性レジスタ１２２の出力データＱを一致させることができる。
【００９８】
さらに、その後、第４の期間Ｐ４におこなうように、信号ＳＡＶＥ２をハイレベルとすることで、インバータループ１２４に格納されているデータ（揮発性レジスタ１２２に格納されているデータと同じ）を保持回路１２３に退避することができる。
【００９９】
この場合、更新するために途中まで入力されたデータは廃棄されることとなるが、画像処理部１１１やタイミングコントローラ１１２のパラメータが、意図しないものとなることを防止できる。また、電力の供給が再開した際の、データ復帰を高速に行うことができる。
【０１００】
以上のように、レジスタユニット１１６は、順次入力されたデータに対応して、画像処理部１１１およびタイミングコントローラ１１２のパラメータを変更できる。その際、パラメータの変更は信号ＬＯＡＤ１と同期して一括しておこなわれる。また、レジスタユニット１１６は、電力の供給が停止される期間において、退避したデータを保持することができる。
【０１０１】
さらに、レジスタユニット１１６の動作例について、出荷前と、デバイス１０の起動時、および通常動作時に分けて説明する。
【０１０２】
＜出荷前＞
出荷前には、デバイス１０の仕様等に関するパラメータを、レジスタユニット１１６に格納する。これらのパラメータには、例えば、画素数、タッチセンサ数、タイミングコントローラ１１２が各種タイミング信号の生成に用いるパラメータ、ＥＬＤドライバ１１４がＥＬ層１１ｃを流れる電流を検出する電流検出回路を備えている場合、ＥＬ補正回路１２０の補正データ等がある。これらのパラメータは、レジスタユニット１１６以外に、専用のＲＯＭを設けて格納してもよい。
【０１０３】
＜起動時＞
デバイス１０の起動時には、ホストより送られるユーザー設定等のパラメータを、レジスタユニット１１６に格納する。これらのパラメータには、例えば、表示の輝度や色調、タッチセンサの感度、省エネルギー設定（表示を暗くする、または表示を消す、までの時間）、また、ガンマ補正のカーブやテーブル等がある。なお、これらのパラメータをレジスタユニット１１６に格納する際、レジスタユニット１１６にスキャンクロック信号ＳＣＬＫに同期してパラメータに相当するデータが送信される。
【０１０４】
＜通常動作＞
通常動作には、ディスプレイユニット１１が、動画等を表示している状態、静止画を表示中でＩＤＳ駆動が可能な状態、表示を行わない状態等に分けられる。動画等を表示している状態は、画像処理部１１１、およびタイミングコントローラ１１２等は動作中であるが、レジスタユニット１１６のデータ変更は、スキャンチェーンレジスタ列１１６Ａに対して行われるため、画像処理部１１１等への影響はない。スキャンチェーンレジスタ列１１６Ａのデータ変更が終わった後、スキャンチェーンレジスタ列１１６Ａのデータをレジスタ列１１６Ｂへ一括してロードすることで、レジスタユニット１１６のデータ変更が完了する。また、画像処理部１１１等は当該データに対応した動作に切り替わる。
【０１０５】
静止画を表示中でＩＤＳ駆動が可能な状態では、レジスタユニット１１６は、例えば、パワーゲーティングすることができる。この場合、パワーゲーティングの前に、スキャンチェーンレジスタ列１１６Ａが有する不揮発性レジスタ１２１内では、信号ＳＡＶＥ２に従い、インバータループ１２４が保持する相補データを保持回路１２３に格納する作業が行われる。
【０１０６】
パワーゲーティングから復帰する際は、信号ＬＯＡＤ２に従い、保持回路１２３が保持しているデータをインバータループ１２４にロードし、信号ＬＯＡＤ１に従い、インバータループ１２４のデータを揮発性レジスタ１２２にロードする。このようにして、パワーゲーティング前と同じ状態で、レジスタユニット１１６のデータは有効となる。なお、パワーゲーティングの状態であっても、ホストよりレジスタユニット１１６のパラメータ変更要求があった場合、レジスタユニット１１６のパワーゲーティングを解除し、パラメータを変更することができる。
【０１０７】
表示を行わない状態では、例えば、ディスプレイコントローラ１０４、レジスタユニット１１６、タイミングコントローラ１１２、ＬＣＤドライバ１１３、ＥＬＤドライバ１１４は、パワーゲーティングすることができる。この場合、ホストも停止することがあるが、メモリ１１０およびレジスタユニット１１６は不揮発性であるので、パワーゲーティングから復帰する際には、ホストの復帰を待たずに、パワーゲーティング前の表示（静止画）を行うことができる。
【０１０８】
このように、レジスタユニット１１６は、スキャンチェーンレジスタ列１１６Ａに対してデータ変更を行うに際し、画像処理部１１１およびタイミングコントローラ１１２等へ影響を与えることがない。スキャンチェーンレジスタ列１１６Ａの各不揮発性レジスタ１２１は、保持回路１２３を有し、パワーゲーティング状態への移行と復帰をスムーズに行うことができる。また、ディスプレイの動作状況に合わせて、パワーゲーティングが容易となる。
【０１０９】
揮発性レジスタ１２２は、通常動作時の処理を実行する回路に用いられるが、不揮発性レジスタ１２１（ＯＳトランジスタを有する）が、通常動作時の処理を実行する回路に直接、関与することはない。そのため、不揮発性レジスタ１２１が、ＯＳトランジスタを有していても、ディスプレイコントローラ１０４の動作にＯＳトランジスタが直接、与える影響は少なく、動作速度の低下などを招く恐れは少ない。
【０１１０】
スキャンチェーンレジスタ列１１６Ａへのパラメータのデータの格納は順次実行されるが、その処理の間は画像処理部１１１のパラメータに新たに格納されるデータは反映されない。格納処理が完了した後におこなわれるレジスタ列１１６Ｂへの一括ロード処理後に新たに格納されたパラメータが反映される。そのため、使用中の環境光の変化に応じて、調色・調光のパラメータを変更する際であっても、表示画像が乱れるなどの影響は避けられる。
【０１１１】
上記構成では、パワーゲーティングから通常動作に戻る際に、プロセッサ１０１等が復帰する（通常動作となる）前に表示用コントローラが動作を開始できる。プロセッサ１０１等が復帰するには、相応の時間を要するが、ディスプレイコントローラ１０４の復帰はそれに比べると十分に短時間で可能である。メモリ１２２（不揮発性メモリ）には、表示用のデータが既に格納されているので、ごく短い時間で、画像表示を再開できる。すなわち、プロセッサ１０１等が復帰する前に画像表示を再開できる。
【０１１２】
＜バーコード読み取りの流れ＞
図７を用いて、デバイス１０のディスプレイユニット１１にバーコードを表示させる技術に関する主要な処理の流れの例を説明する。いうまでもなく、デバイス１０はマルチタスク処理あるいは並列処理が可能であり、以下に説明するプロセスと同時に別の処理が実行されていてもよい。最初に、図７に示される処理とステップについて、簡単に説明する。
【０１１３】
＜バーコード表示ステップＳ０１＞
デバイス１０のディスプレイユニット１１にバーコードをバーコード表示モードで表示するステップである。ディスプレイユニット１１は、このステップの前にはアクティブモードで表示をおこなっている。バーコード表示ステップＳ０１は、デバイス１０の保有者がデバイス１０を操作してもよいし、外部からの信号によって実行してもよい。
【０１１４】
＜バーコード読み取りステップＳ０２＞
ディスプレイユニット１１に表示されたバーコードをバーコードリーダ１７で読み取るステップである。バーコード読み取りステップＳ０２は、バーコードリーダ１７を操作する人がバーコードリーダ１７を操作することで実行してもよいし、デバイス１０の保有者がバーコードリーダ１７が読み取れるようにデバイス１０を移動させて実行してもよい。あるいは、デバイス１０と、バーコードリーダ１７（あるいはそれを制御する機器）との間での通信を用いて実行してもよい。
【０１１５】
＜読み取り判定ステップＳ０３＞
バーコードが適切に読み取られたか否かを判定するステップである。判定は、バーコードリーダ１７を操作する人がおこなってもよいし、バーコードリーダ１７（あるいはそれを制御する機器）がおこなってもよい。
【０１１６】
＜データ転送ステップＳ０４＞
バーコードリーダ１７で読み取ったデータをサーバ２０に転送するステップである。
【０１１７】
＜認証ステップＳ０５＞
バーコードリーダ１７で読み取ったデータとサーバ２０に保存されているデータを照合するステップである。認証ステップＳ０５は、サーバ２０あるいはそれを制御する機器でおこなってもよい。
【０１１８】
＜認証判定ステップＳ０６＞
バーコードリーダ１７で読み取ったデータとサーバ２０に保存されているデータを照合した結果を判定するステップである。認証判定ステップＳ０６は、サーバ２０、バーコードリーダ１７（あるいはそれを制御する機器）、あるいはそれらを操作する人がおこなってもよい。
【０１１９】
＜認証成功処理ステップＳ０７＞
認証判定ステップＳ０６で判定した結果、認証が成功した場合に、デバイス１０の保有者にサービス・物品等を提供するステップである。認証成功処理ステップＳ０７は、バーコードリーダ１７（あるいはそれを制御する機器）を操作する人がおこなってもよいし、バーコードリーダ１７（あるいはそれを制御する機器）と連動した機械がおこなってもよい。
【０１２０】
＜認証エラー処理ステップＳ０８＞
認証判定ステップＳ０６で判定した結果、認証が失敗した場合に、デバイス１０の保有者にサービス・物品等の提供を拒否するステップである。認証エラー処理ステップＳ０８はバーコードリーダ１７（あるいはそれを制御する機器）を操作する人がおこなってもよいし、バーコードリーダ１７（あるいはそれを制御する機器）と連動した機械がおこなってもよい。
【０１２１】
＜バーコード表示停止ステップＳ０９＞
バーコードの表示を停止し、アクティブモードに移行するステップである。バーコード表示停止ステップＳ０９は、デバイス１０の保有者がデバイス１０を操作してもよいし、外部からの信号やデバイス１０のタイマーによっておこなわれてもよく、また、データ転送ステップＳ０４の後であれば、いつの時点でおこなわれてもよい。
【０１２２】
以下、図７に示される流れについて説明する。まず、バーコード表示ステップＳ０１により、ディスプレイユニット１１にバーコードがバーコード表示モードで表示される。すなわち、第１のモードでの表示であり、かつ、タッチ検出機能やその他、デバイス１０の多くの機能を無効とできるので、デバイス１０の消費電力を大幅に低減できる。
【０１２３】
続いて、バーコード読み取りステップＳ０２、読み取り判定ステップＳ０３に進む。読み取り判定ステップＳ０３で、読み取りに成功しなかった場合は、バーコード読み取りステップＳ０２に戻る。読み取りに成功した場合は、バーコード読み取りステップＳ０２に戻る。データ転送ステップＳ０４に進む。バーコード読み取りステップＳ０２、読み取り判定ステップＳ０３、データ転送ステップＳ０４は、読み取り・転送プロセス（Ｒ／Ｔプロセス）ともいう。
【０１２４】
その後、認証ステップＳ０５、認証判定ステップＳ０６に進み、認証の成功、失敗に応じて、認証成功処理ステップＳ０７、認証エラー処理ステップＳ０８に進む。その後、バーコード表示停止ステップＳ０９に進む。なお、バーコード表示停止ステップＳ０９は、データ転送ステップＳ０４の後であれば、いつおこなわれてもよいので、認証成功処理ステップＳ０７、認証エラー処理ステップＳ０８の後である必要はない。
【０１２５】
例えば、バーコード表示モードで、タッチ検出機能が無効となっている場合には、デバイス１０の保有者が、ディスプレイユニット１１を操作してバーコード表示を停止させることは困難であるので、バーコード表示ステップＳ０１が開始された一定の時間の後に、自動的に、バーコード表示停止ステップＳ０９に移行するように、（インストールされているコンピュータプログラムによって）デバイス１０が設定されてもよい。
【０１２６】
＜デバイス１０、バーコードリーダ１７、サーバ２０の動作＞
図８を用いて、それぞれの段階におけるデバイス１０、バーコードリーダ１７、サーバ２０の動作について説明する。なお、ここでは、バーコードリーダ１７とサーバ２０は通信回線によって接続されており、一方の処理に応じて、他方が瞬時に状態や処理を変更できるものとする。
【０１２７】
まず、第１の時間Ｔ１までは、デバイス１０はアクティブモードで表示をおこなっている。すなわち、ＬＣ表示装置（ＬＣＤ）は第１の画像Ａ０を表示しており、ＥＬ表示装置（ＥＬＤ）は第２の画像Ｂ０を表示している。一方、バーコードリーダ１７、サーバ２０は待機状態である。
【０１２８】
第１の時間Ｔ１で、デバイス１０はバーコード表示モードとなる。これは、デバイス１０の保有者の操作によってもよいし、外部からの信号によってもよい。バーコード表示モードでは、バーコードが反射型表示素子を用いて表示される。ＥＬＤは黒表示であるが、これは、例えば、ＥＬ層１１ｃを発光させるための電流の供給を停止することで実行できる。この場合、画像のデータ自体は、ＥＬＤに残っているので、ＥＬ層１１ｃを発光させるための電流の供給を再開することで、再度、画像Ｂ０を表示できる。詳細は、米国特許公開２０１１／０１１５８３９Ａ１明細書を参照できる。一方、バーコードリーダ１７、サーバ２０は待機状態である。
【０１２９】
第２の時間Ｔ２では、デバイス１０はバーコード表示モードである。一方、バーコードリーダ１７は、読み取り・転送プロセスを開始する。バーコードリーダ１７は、光１８のデバイス１０のディスプレイユニット１１での反射光１９を読み取る。ほぼ同時期に、サーバ２０もバーコードリーダ１７からデータを受け取る態勢となり、バーコードリーダ１７からデータが送られてくれば、受信できる。
【０１３０】
第３の時間Ｔ３では、デバイス１０はバーコード表示モードである。一方、バーコードリーダ１７は、読み取り・転送プロセスを終了し、待機モードとなる。ほぼ同時期に、サーバ２０はデータの認証を開始する。
【０１３１】
第４の時間Ｔ４では、デバイス１０はバーコード表示モードである。一方、サーバ２０は認証結果のバーコードリーダ１７（あるいはそれに付属する機器）への送信を開始する。バーコードリーダ１７（あるいはそれに付属する機器）は、認証結果をデバイス１０の保有者やバーコードリーダ１７（あるいはそれに付属する機器）を操作する人に通知する。
【０１３２】
第５の時間Ｔ５では、デバイス１０はバーコード表示モードである。一方、サーバ２０は認証結果のバーコードリーダ１７への送信を終了し、待機モードとなる。バーコードリーダ１７（あるいはそれに付属する機器）は、認証結果の通知を継続する。
【０１３３】
第６の時間Ｔ６では、デバイス１０はバーコード表示モードである。一方、サーバ２０は待機モードである。バーコードリーダ１７（あるいはそれに付属する機器）は、認証結果の通知を終了し、待機モードとなる。
【０１３４】
第７の時間Ｔ７では、デバイス１０はバーコード表示モードを終了し、アクティブモードに手動あるいは自動で移行する。ＬＣＤには、画像Ａ０が書き込まれ、ＥＬＤでは、ＥＬ層への電流の供給が再開される。一方、バーコードリーダ１７、サーバ２０は待機モードである。
【０１３５】
図８の例では、バーコードリーダ１７（あるいはそれに付属する機器）が、認証結果の通知を終了した後、デバイス１０がバーコード表示モードを終了し、アクティブモードに手動あるいは自動で移行する例を示すが、デバイス１０がバーコード表示モードを終了し、アクティブモードに手動あるいは自動で移行した後、バーコードリーダ１７（あるいはそれに付属する機器）が、認証結果の通知を終了してもよい。
【０１３６】
上記のようなデバイス１０の動作の全てあるいは一部は、デバイス１０にインストールされているコンピュータプログラムによって自動的に実行されてもよい。
【０１３７】
（実施の形態２）
本実施の形態では、デバイス１０とゲートシステムが近距離無線通信（ＮＦＣ）技術を用いて通信し、自動的に、アクティブモードからバーコード表示モードに、あるいは、その逆に移行する例について説明する。以下の例では、ゲートシステムは、デバイス１０の保有者の入場をゲートの開閉により制限するためのシステムで、バーコードリーダ１７を備え、近距離無線通信によりデバイス１０と通信可能である。
【０１３８】
バーコードリーダ１７は、上から下に光１８を放射し、バーコードリーダ１７の下に置かれた携帯端末のディスプレイユニットに表示された二次元バーコードの反射光１９を読み取るものとする。
【０１３９】
図９（Ａ）には、バーコードによる認証を受ける前のデバイス１０の表示例を示す。ディスプレイユニット１１の上部には、ステータスバー２１が表示される。ステータスバー２１は、例えば、電子メールの着信があるかどうか、デバイス１０の電波状態、バッテリー残量等の状態や、現在のデバイス１０の表示の状態を表示する。
【０１４０】
デバイス１０のユーザーが、認証を受けるためのアプリケーションソフトウェアを起動（ｒｕｎ）すると、ディスプレイユニット１１のその他の部分に、アプリケーションソフトウェアのページが表示される。さらに、必要な操作をすると、バーコード表示の前段階のページ（開始ページ２２）が表示され、デバイス１０をバーコードリーダ１７の下に置くよう促す。このとき、デバイス１０は近距離無線通信でゲートシステムを探索する。
【０１４１】
デバイス１０の保有者が、デバイス１０をゲートシステムの近くに移すと、デバイス１０は近距離無線通信でゲートシステムと交信可能となる。すると、デバイス１０の画面は、図９（Ｂ）に示すように、二次元バーコード２３をバーコード表示モード（すなわち、アイドリング・ストップ駆動の反射型表示素子のみによる表示）で表示する。デバイス１０がバーコード表示モードであることは、ステータスバー２１に示されるアイコンで判別できる。デバイス１０の保有者は、デバイス１０に表示された二次元バーコード２３をバーコードリーダ１７で読み取れるように、デバイス１０をバーコードリーダ１７の下に置く。
【０１４２】
二次元バーコード２３が正規のものであると認証されると、図１０（Ａ）に示すようにデバイス１０に、認証が成功したことを示すポップアップウインドウ２４が表示される。ほぼ同時に、デバイス１０の保有者が、サービスや物品を受け取れるように装置が始動する。例えば、ゲートが閉鎖されていた場合には、ゲートが開放される。
【０１４３】
認証に失敗すると、図１０（Ｂ）に示すようにデバイス１０に、認証が失敗したことを示すポップアップウインドウ２５が表示される。必要であれば、デバイス１０の保有者が、サービスや物品を受け取れないように装置が始動する。例えば、ゲートが開放されていた場合には、ゲートが閉鎖される。
【０１４４】
図１１（Ａ）（Ｂ）、図１２には、図９（Ａ）（Ｂ）、図１０（Ａ）（Ｂ）で示した画面をデバイス１０に表示させるための流れを示す。
【０１４５】
＜識別の流れ＞
図１１（Ａ）には、ゲートシステムがデバイス１０を識別するための流れを示す。最初に、デバイス１０の保有者は、デバイス１０に開始ページ２２を表示させる（開始ページ表示ステップＳ１１）。すると、デバイス１０は、近距離無線通信を開始する（近距離無線通信開始ステップＳ１２）。デバイス１０は、要求があれば、例えば、二次元バーコードと関連付けられている識別番号を、送信する。
【０１４６】
一方、ゲートシステムでは、ゲートが開放していれば、ゲートを閉鎖する（ゲート閉鎖ステップＳ１３）。そして、近距離無線通信で付近にある携帯端末を探索する（デバイス探索ステップＳ１４）。携帯端末が見つかった場合は、それが登録されているものか否かを、携帯端末より送信された識別番号で判定する（デバイス判定ステップＳ１５）。
【０１４７】
識別番号が事前にゲートシステムに登録されている携帯端末のものでない場合には、デバイス探索ステップＳ１４に戻る。識別番号が事前にゲートシステムに登録されている携帯端末のものの場合にはＡに進む。
【０１４８】
＜識別の流れの変形例＞
以上の例では、携帯端末の少なくとも識別番号がゲートシステムに登録されている必要がある。図１１（Ｂ）に示す流れでは、デバイス１０を識別するためにサーバ２０に蓄積されているデータを活用する。ゲートシステムとサーバ２０はインターネットや構内通信網（ＬＡＮ）等によって交信可能な状態となっている。
【０１４９】
デバイス１０での操作は、図１１（Ａ）の例と同じである。ゲートシステムでも、ゲート閉鎖ステップＳ１３、デバイス探索ステップＳ１４は、図１１（Ａ）と同じである。デバイス探索ステップＳ１４の結果、携帯端末が見つかった場合は、ゲートシステムは、その識別番号をサーバ２０に送信する（識別番号送信ステップＳ１６）。サーバ２０では、識別番号が登録されているものか否かを判定する（デバイス判定ステップＳ１７）。
【０１５０】
識別番号が事前にサーバ２０に登録されている携帯端末のものでない場合には、デバイス探索ステップＳ１４に戻る。識別番号が事前にゲートシステムに登録されている場合にはＡに進む。
【０１５１】
＜認証の流れ＞
図１２には、Ａ以降の流れを示す。図１２に示される流れは、ゲートシステムがデバイス１０に近距離無線通信を通じて、画面の表示を変更させる以外は、図７に示す流れと同等である。
【０１５２】
ゲートシステムは、デバイス１０にバーコードを表示するように要求する（バーコード要求ステップＳ２１）。デバイス１０は、二次元バーコード２３をバーコード表示モードで表示する（バーコード表示ステップＳ２２）。なお、バーコード表示モードでタッチ検出機能が無効となっている場合、一度、表示させた二次元バーコード２３をデバイス１０の保有者が取りやめることは難しい。そこで、例えば、デバイス１０とゲートシステムの近距離無線通信での交信が不能となった場合（例えば、デバイス１０がゲートシステムから離れた場合）には、デバイス１０にインストールされているアプリケーションソフトウェアが、自動的に二次元バーコード２３の表示を中止させ、例えば、開始ページ２２をアクティブモードで表示させてもよい。
【０１５３】
すなわち、デバイス１０は、インストールされているアプリケーションソフトウェアによって、デバイス１０とバーコードリーダ１７の間の距離が一定の値以下となり、バーコードリーダ１７と交信可能となり、バーコードリーダ１７から二次元バーコード２３を表示するように指示されると、第１のバーコードを表示し、デバイス１０と前記バーコードリーダの間の距離が一定の値より大きくなり、バーコードリーダ１７と交信不能となると、第１のバーコードの表示をやめるように設定される。
【０１５４】
デバイス１０が、二次元バーコード２３を表示したことは、デバイス１０からゲートシステムに近距離無線通信で伝達され、ゲートシステムは、バーコード読み取り転送処理ステップＳ２３を開始する。すなわち、ゲートシステムは、バーコードリーダ１７の発光を開始し、バーコードが読み取れるようにする。ゲートシステムは、バーコードの読み取りに成功すると、読み取ったデータをサーバ２０に転送する。
【０１５５】
所定時間内に、バーコードを読み取ることができなかった場合には、ゲートシステムは、処理を中止して、初期状態（例えば、図１１（Ａ）（Ｂ）のゲート閉鎖ステップＳ１３あるいは、デバイス探索ステップＳ１４）に戻ってもよい。その際、ゲートシステムは、デバイス１０に二次元バーコード２３の表示を中止させ、例えば、開始ページ２２をアクティブモードで表示させてもよい。
【０１５６】
サーバ２０は、ゲートシステムから送られたデータを認証し（認証ステップＳ２４）、結果（すなわち、認証したか否か）をゲートシステムに送信する（認証結果送信ステップＳ２５）。
【０１５７】
ゲートシステムは、サーバ２０から送られた認証結果を判断する（認証結果判定ステップＳ２６）。認証に失敗した場合、ゲートシステムは、デバイス１０に認証に失敗したことを知らせるポップアップウインドウ２５を表示させる（エラーポップアップウィンドウ表示ステップＳ２７）。一方、認証に成功した場合、ゲートシステムは、ゲートを開放し（ゲート開放ステップＳ２８）、デバイス１０に認証に成功したことを知らせるポップアップウインドウ２４を表示させる（認証成功ポップアップウインドウ表示ステップＳ２９）。
【０１５８】
なお、エラーポップアップウィンドウ表示ステップＳ２７、認証成功ポップアップウインドウ表示ステップＳ２９が実行された後では、デバイス１０とゲートシステムとの近距離無線通信は不要であるので、ゲートシステムはデバイス１０に、近距離無線通信を停止するように指示してもよい。近距離無線通信を停止することで、デバイス１０の消費電力を低減できる。 
【０１５９】
（実施の形態３）
本実施の形態では、デバイス１０とゲートシステムとは、サーバ２０を介して、間接的に情報伝達が可能であるシステムを説明する。この例では、ゲートシステムは近距離無説通信のための設備を備える必要がない。本実施の形態では、デバイス１０とサーバ２０、ゲートシステムとサーバ２０とは、それぞれ、インターネットで情報伝達可能である。以下、図１３に示される流れについて説明する。
【０１６０】
デバイス１０のユーザーは、アプリケーションソフトウェアを起動して、認証を要求する（認証要求ステップＳ３１）。要求は、サーバ２０に伝達され、サーバ２０は、デバイス１０（あるいは、アプリケーションソフトウェアによってサーバ２０に送信されるユーザー名）がリストにあるか否かを判断する（デバイス判定ステップＳ３２）。
【０１６１】
デバイス１０（あるいは、ユーザー名）がリストに無ければ、サーバ２０は、デバイス１０に、図１４（Ａ）に示されるような、未登録であることを示す、エラーページ２６を表示させる（エラーページ表示ステップＳ３３）。デバイス１０がリストにあれば、デバイス１０に、図９（Ａ）に示される開始ページ２２を表示させる（開始ページ表示ステップＳ３４）。
【０１６２】
並行して、サーバ２０は、ゲートシステムにデバイス特定のためのバーコードの読み取りとそのデータの転送処理を開始させる（デバイス特定のためのバーコード読み取り転送処理ステップＳ３５）。この時点では、デバイス１０以外に複数の携帯端末から認証要求がある可能性があり、サーバ２０は、ゲートシステムで認証のためのバーコードが読み取られる携帯端末を特定する必要がある。
【０１６３】
一方、デバイス１０は、開始ページ表示ステップＳ３４のあと、図１４（Ｂ）に示す、デバイスを特定するための二次元バーコード２７をバーコード表示モードで表示させる（デバイス特定のためのバーコード表示ステップＳ３６）。
【０１６４】
開始ページ表示ステップＳ３４からデバイス特定のためのバーコード表示ステップＳ３６へ移行するタイミングは、デバイス１０のユーザーの操作によってもよいし、開始ページ表示ステップＳ３４から一定の時間が経過した後に、自動的に切り替わるようにしてもよいし、デバイス１０が、ゲートシステムのバーコードリーダ１７から放射される光を感知して切り替わるようにしてもよい。これらは、インストールされているアプリケーションソフトウェアによって設定可能である。
【０１６５】
ゲートシステムで、二次元バーコード２７の読み取りに成功すると、そのデータはサーバ２０に転送され、デバイスが特定される（デバイス特定ステップＳ３７）。この段階で、サーバ２０は、認証を求めている複数の携帯端末のうち、ゲートシステムにある携帯端末が、デバイス１０であることを認識できる。
【０１６６】
サーバ２０は、デバイス１０に、認証のための二次元バーコード（図９（Ｂ）に示す二次元バーコード２３）をバーコード表示モードで表示させる（認証のためのバーコード表示ステップＳ３８）。つまり、デバイス１０のディスプレイユニット１１で表示される二次元バーコードが、バーコード表示モードのまま、二次元バーコード２７から二次元バーコード２３に自動的に切り替わる。
【０１６７】
並行して、サーバ２０は、ゲートシステムにバーコードの読み取りとデータの転送処理を開始させる（認証のためのバーコード読み取り転送処理ステップＳ３９）。ゲートシステムで、二次元バーコード２３の読み取りに成功すると、そのデータはサーバ２０に転送され、認証処理が実行され（認証ステップＳ４０）、認証結果が判定される（認証結果判定ステップＳ４１）。
【０１６８】
認証に失敗した場合、サーバ２０は、デバイス１０に認証に失敗したことを知らせるポップアップウインドウ２５を表示させる（エラーポップアップウィンドウ表示ステップＳ４２）。一方、認証に成功した場合、サーバ２０は、ゲートシステムに、ゲートを開放させ（ゲート開放ステップＳ４３）、デバイス１０に認証に成功したことを知らせるポップアップウインドウ２４を表示させる（認証成功ポップアップウインドウ表示ステップＳ４４）。
【０１６９】
（実施の形態４）
本実施の形態では、上記のディスプレイユニット１１に用いることのできる表示装置について、図１５乃至図２０を用いて説明する。本実施の形態の表示装置は、可視光を反射する第１の表示素子と、可視光を発する第２の表示素子とを有する。
【０１７０】
例えば、ディスプレイユニット１１は、液晶層１１ｂ中あるいはその近傍にマトリクス状の第１の表示素子と、ＥＬ層１１ｃ中あるいはその近傍にマトリクス状の第２の表示素子を有する。
【０１７１】
本実施の形態の表示装置は、第１の表示素子が反射する光と、第２の表示素子が発する光のうち、いずれか一方または双方により、画像を表示する機能を有する。
【０１７２】
第１の表示素子には、環境光を反射して表示する素子を用いることができる。このような素子は光源を持たないため、表示の際の消費電力を極めて小さくすることが可能となる。
【０１７３】
第１の表示素子には、代表的には反射型の液晶素子を用いることができる。または、第１の表示素子として、シャッター方式のＭＥＭＳ（Ｍｉｃｒｏ  Ｅｌｅｃｔｒｏ  Ｍｅｃｈａｎｉｃａｌ  Ｓｙｓｔｅｍ）素子、光干渉方式のＭＥＭＳ素子の他、マイクロカプセル方式、電気泳動方式、エレクトロウェッティング方式等を適用した素子等を用いることができる。
【０１７４】
第２の表示素子には、発光素子を用いることが好ましい。このような表示素子が発する光は、その輝度や色度が環境光に左右されることが少ないため、色再現性が高く（色域が広く）、コントラストの高い、鮮やかな表示を行うことができる。
【０１７５】
第２の表示素子には、例えばＯＬＥＤ（Ｏｒｇａｎｉｃ  Ｌｉｇｈｔ  Ｅｍｉｔｔｉｎｇ  Ｄｉｏｄｅ）、ＬＥＤ（Ｌｉｇｈｔ  Ｅｍｉｔｔｉｎｇ  Ｄｉｏｄｅ）、ＱＬＥＤ（Ｑｕａｎｔｕｍ−ｄｏｔ  Ｌｉｇｈｔ  Ｅｍｉｔｔｉｎｇ  Ｄｉｏｄｅ）、半導体レーザ等の自発光性の発光素子を用いることができる。なお、第２の表示素子には、自発光性の発光素子を用いることが好ましいが、これに限定されず、例えば、バックライト、またはサイドライト等の光源と、液晶素子とを組み合わせた透過型の液晶素子を用いてもよい。
【０１７６】
本実施の形態の表示装置は、第１の表示素子を用いて画像を表示する第１のモードと、第２の表示素子を用いて画像を表示する第２のモードと、第１の表示素子及び第２の表示素子の双方を用いて画像を表示する第３のモードと、を有し、第１乃至第３のモードを自動または手動で切り替えることができる。以下では、第１乃至第３のモードの詳細について説明する。
【０１７７】
［第１のモード］
第１のモードでは、第１の表示素子と環境光とを用いて画像を表示する。第１のモードは光源が不要であるため、極めて低消費電力なモードである。例えば、表示装置に環境光が十分に入射されるとき（明るい環境下等）は、第１の表示素子が反射した光を用いて表示を行うことができる。例えば、環境光が十分に強く、かつ環境光が白色光またはその近傍の光である場合に有効である。第１のモードは、文字を表示することに適したモードである。また、第１のモードは、環境光を反射した光を用いるため、目に優しい表示を行うことができ、目が疲れにくいという効果を奏する。なお、第１のモードを、反射した光を用いて表示を行うため、反射型の表示モード（Ｒｅｆｌｅｃｔｉｏｎ  ｍｏｄｅ）と呼称してもよい。
【０１７８】
［第２のモード］
第２のモードでは、第２の表示素子による発光あるいは透過光を利用して画像を表示する。そのため、照度や環境光の色度によらず、極めて鮮やかな（コントラストが高く、且つ色再現性の高い）表示を行うことができる。例えば、夜間や暗い室内等、照度が極めて低い場合等に有効である。また、周囲が暗い場合、明るい表示を行うと使用者が眩しく感じてしまう場合がある。これを防ぐために、第２のモードでは輝度を抑えた表示を行うことが好ましい。これにより、眩しさを抑えることに加え、消費電力も低減することができる。第２のモードは、鮮やかな画像（静止画及び動画）等を表示することに適したモードである。なお、第２のモードのうち、発光、すなわち放射した光を用いて表示を行うものを、放射型の表示モード（Ｅｍｉｓｓｉｏｎ  ｍｏｄｅ）と呼称してもよい。
【０１７９】
［第３のモード］
第３のモードでは、第１の表示素子による反射光と、第２の表示素子による発光との双方を利用して表示を行う。なお、第１の表示素子と第２の表示素子とを、それぞれ独立に駆動させ、且つ第１の表示素子と第２の表示素子とを、同一期間内で駆動させることで、第１の表示素子と、第２の表示素子とを組み合わせた表示を行うことができる。なお、本明細書等において、第１の表示素子と、第２の表示素子とを組み合わせた表示、すなわち、第３のモードをハイブリッド表示モード（ＨＢ表示モード）と呼称することができる。または、第３のモードのうち、放射型の表示モードと、反射型の表示モードとを組み合わせた表示モード（ＥＲ−Ｈｙｂｒｉｄ  ｍｏｄｅ）と呼称してもよい。
【０１８０】
第３のモードで表示を行うことで、第１のモードよりも鮮やかな表示とし、且つ第２のモードよりも消費電力を抑えることができる。例えば、室内照明下や、朝方や夕方の時間帯等、比較的照度が低い場合、環境光の色度が白色ではない場合等に有効である。また、反射光と発光とを混合させた光を用いることで、まるで絵画を見ているかのように感じさせる画像を表示することが可能となる。
【０１８１】
＜第１乃至第３のモードの具体例＞
ここで、上述した第１乃至第３のモードを用いる場合の具体例について、図１５及び図１６を用いて説明する。
【０１８２】
なお、以下では、第１乃至第３のモードが照度に応じて自動に切り替わる場合について説明する。なお、照度に応じて自動で切り替わる場合、例えば、表示装置に照度センサ等を設け、当該照度センサからの情報をもとに表示モードを切り替えることができる。
【０１８３】
図１５（Ａ）（Ｂ）（Ｃ）は、本実施の形態の表示装置が取り得る表示モードを説明するための画素の模式図である。
【０１８４】
図１５（Ａ）（Ｂ）（Ｃ）では、第１の表示素子２０１、第２の表示素子２０２、開口部２０３、第１の表示素子２０１から反射される反射光２０４、及び第２の表示素子２０２から開口部２０３を通って射出される透過光２０５が明示されている。なお、図１５（Ａ）が第１のモードを説明する図であり、図１５（Ｂ）が第２のモードを説明する図であり、図１５（Ｃ）が第３のモードを説明する図である。
【０１８５】
なお、図１５（Ａ）（Ｂ）（Ｃ）では、第１の表示素子２０１として、反射型の液晶素子を用い、第２の表示素子２０２として、自発光素子のＯＬＥＤを用いる場合とする。
【０１８６】
図１５（Ａ）に示す第１のモードでは、第１の表示素子２０１である、反射型の液晶素子を駆動して反射光の強度を調節して階調表示を行うことができる。例えば、図１５（Ａ）に示すように、第１の表示素子２０１である、反射型の液晶素子が有する反射電極で、反射光２０４の強度を液晶層で調節することで階調表示を行うことができる。
【０１８７】
図１５（Ｂ）に示す第２のモードでは、第２の表示素子２０２である、ＯＬＥＤの発光強度を調節して階調表示を行うことができる。なお、第２の表示素子２０２から射出される光は、開口部２０３を通過し、透過光２０５として外部に取り出される。
【０１８８】
図１５（Ｃ）に示す第３のモードは、上述した第１のモードと、第２のモードとを組み合わせた表示モードである。例えば、図１５（Ｃ）に示す第１の表示素子２０１である、反射型の液晶素子と、第２の表示素子２０２である、ＯＬＥＤと例えば、第１の表示素子２０１である、反射型の液晶素子が有する反射電極で、反射光２０４の強度を液晶層で調節し階調表示を行う。また、第１の表示素子２０１の駆動する期間と、同じ期間内に、第２の表示素子２０２である、ＯＬＥＤの発光強度、ここでは透過光２０５の強度を調整し階調表示を行う。
【０１８９】
＜第１乃至第３のモードの状態遷移＞
次に、第１乃至第３のモードの状態遷移について、図１５（Ｄ）を用いて説明を行う。図１５（Ｄ）は、第１のモード、第２のモード、及び第３のモードの状態遷移図である。図１５（Ｄ）に示す、状態Ｃ１は第１のモードに相当し、状態Ｃ２は第２のモードに相当し、状態Ｃ３は第３のモードに相当する。
【０１９０】
図１５（Ｄ）に図示するように、状態Ｃ１から状態Ｃ３までは照度に応じていずれかの状態の表示モードを取り得る。例えば、屋外のように照度が大きい場合には、状態Ｃ１を取り得る。また、屋外から屋内に移動するような照度が小さくなる場合には、状態Ｃ１から状態Ｃ２に遷移する。また、屋外であっても照度が低く、反射光による階調表示が十分でない場合には、状態Ｃ２から状態Ｃ３に遷移する。もちろん、状態Ｃ３から状態Ｃ１への遷移、状態Ｃ１から状態Ｃ３への遷移、状態Ｃ３から状態Ｃ２への遷移、または状態Ｃ２から状態Ｃ１への遷移も生じる。
【０１９１】
なお、図１５（Ｄ）では、第１のモードのイメージとして太陽のシンボルを、第２のモードのイメージとして、月のシンボルを、第３のモードのイメージとして、雲のシンボルを、それぞれ図示してある。
【０１９２】
なお、図１５（Ｄ）に図示するように、状態Ｃ１乃至状態Ｃ３において、照度の変化がない、または照度の変化が少ない場合には、他の状態に遷移せずに、続けて元の状態を維持すればよい。
【０１９３】
以上のように照度に応じて表示モードを切り替える構成とすることで、消費電力が比較的大きい発光素子の光の強度による階調表示の頻度を減らすことができる。そのため、表示装置の消費電力を低減することができる。また、表示装置は、バッテリーの残容量、表示するコンテンツ、または周辺環境の照度に応じて、さらに動作モードを切り替えることができる。なお、上記の説明においては、照度に応じて表示モードが自動で切り替わる場合について例示したがこれに限定されず、使用者が手動で表示モードを切り替えてもよい。
【０１９４】
＜動作モード＞
次に、第１の表示素子で行うことができる動作モードについて、図１６を用いて説明を行う。
【０１９５】
なお、以下では、通常のフレーム周波数（代表的には６０Ｈｚ以上２４０Ｈｚ以下）で動作する通常動作モード（Ｎｏｒｍａｌ  ｍｏｄｅ）と、低速のフレーム周波数で動作するアイドリング・ストップ（ＩＤＳ）駆動モードと、を例示して説明する。
【０１９６】
なお、アイドリング・ストップ（ＩＤＳ）駆動モードとは、画像データの書き込み処理を実行した後、画像データの書き換えを停止する駆動方法のことをいう。一旦画像データの書き込みをして、その後、次の画像データの書き込みまでの間隔を延ばすことで、その間の画像データの書き込みに要する分の消費電力を削減することができる。アイドリング・ストップ（ＩＤＳ）駆動モードは、例えば、通常動作モードの１／１００乃至１／１０程度のフレーム周波数とすることができる。
【０１９７】
図１６（Ａ）（Ｂ）（Ｃ）は、通常駆動モードとアイドリング・ストップ（ＩＤＳ）駆動モードを説明する回路図及びタイミングチャートである。なお、図１６（Ａ）では、第１の表示素子２０１（ここでは液晶素子）と、第１の表示素子２０１に電気的に接続される画素回路２０６と、を明示している。また、図１６（Ａ）に示す画素回路２０６では、信号線ＳＬと、ゲート線ＧＬと、信号線ＳＬ及びゲート線ＧＬに接続されたトランジスタＭ１と、トランジスタＭ１に接続される容量素子Ｃｓとを図示している。
【０１９８】
トランジスタＭ１としては、半導体層に金属酸化物を有するトランジスタを用いることが好ましい。金属酸化物が増幅作用、整流作用、及びスイッチング作用の少なくとも１つを有する場合、当該金属酸化物を、金属酸化物半導体（ｍｅｔａｌ  ｏｘｉｄｅ  ｓｅｍｉｃｏｎｄｕｃｔｏｒ）または酸化物半導体（ｏｘｉｄｅ  ｓｅｍｉｃｏｎｄｕｃｔｏｒ）、略してＯＳと呼ぶことができる。以下、トランジスタの代表例として、酸化物半導体を有するトランジスタ（ＯＳトランジスタ）を用いて説明する。ＯＳトランジスタは、非導通状態時のリーク電流（オフ電流）が極めて低いため、ＯＳトランジスタを非導通状態とすることで液晶素子の画素電極に電荷の保持をすることができる。
【０１９９】
図１６（Ｂ）は、通常駆動モードでの信号線ＳＬおよびゲート線ＧＬにそれぞれ与える信号の波形を示すタイミングチャートである。通常駆動モードでは通常のフレーム周波数（例えば６０Ｈｚ）で動作する。１フレーム期間を第１サブフレームＳＦ１、第２サブフレームＳＦ２、第３サブフレームＳＦ３で表すと、各フレーム期間でゲート線ＧＬに走査信号を与え、信号線ＳＬからデータＤｐを書き込む動作を行う。この動作は、第１サブフレームＳＦ１から第３サブフレームＳＦ３までで同じデータＤｐを書き込む場合、または異なるデータを書き込む場合でも同じである。
【０２００】
一方、図１６（Ｃ）は、アイドリング・ストップ（ＩＤＳ）駆動モードでの信号線ＳＬおよびゲート線ＧＬに、それぞれ与える信号の波形を示すタイミングチャートである。アイドリング・ストップ（ＩＤＳ）駆動では低速のフレーム周波数（例えば１Ｈｚ）で動作する。１フレーム期間を期間ＴＦで表し、その中でデータの書き込み期間を期間ＴＷ、データの保持期間を期間ＴＲで表す。アイドリング・ストップ（ＩＤＳ）駆動モードは、期間ＴＷでゲート線ＧＬに走査信号を与え、信号線ＳＬのデータＤｐを書き込み、期間ＴＲでゲート線ＧＬをローレベルの電圧に固定し、トランジスタＭ１を非導通状態として一旦書き込んだデータＤｐを保持させる動作を行う。
【０２０１】
アイドリング・ストップ（ＩＤＳ）駆動モードは、上述した第１のモード、または第３のモードと組み合わせることで、さらなる低消費電力化を図ることができるため有効である。
【０２０２】
以上のように、本実施の形態の表示装置は、第１乃至第３のモードを切り替えて表示を行うことができる。したがって、周囲の明るさによらず、視認性が高く利便性の高い表示装置または全天候型の表示装置を実現できる。
【０２０３】
また、本実施の形態の表示装置は、第１の表示素子を有する第１の画素と、第２の表示素子を有する第２の画素とをそれぞれ複数有すると好ましい。また、第１の画素と第２の画素とは、それぞれ、マトリクス状に配置されることが好ましい。
【０２０４】
第１の画素及び第２の画素は、それぞれ、１つ以上の副画素を有する構成とすることができる。例えば、画素には、副画素を１つ有する構成（白色（Ｗ）等）、副画素を３つ有する構成（赤色（Ｒ）、緑色（Ｇ）、及び青色（Ｂ）の３色等）、あるいは、副画素を４つ有する構成（赤色（Ｒ）、緑色（Ｇ）、青色（Ｂ）、白色（Ｗ）の４色、または、赤色（Ｒ）、緑色（Ｇ）、青色（Ｂ）、黄色（Ｙ）の４色等）を適用できる。なお、第１の画素及び第２の画素が有する色要素は、上記に限定されず、必要に応じて、シアン（Ｃ）及びマゼンタ（Ｍ）等を組み合わせてもよい。
【０２０５】
本実施の形態の表示装置は、第１の画素及び第２の画素は、双方とも、フルカラー表示を行う構成とすることができる。または、本実施の形態の表示装置は、第１の画素では白黒表示またはグレースケールでの表示を行い、第２の画素ではフルカラー表示を行う構成とすることができる。第１の画素を用いた白黒表示またはグレースケールでの表示は、文書情報等、カラー表示を必要としない情報を表示することに適している。
【０２０６】
＜表示装置の斜視概略図＞
次に、本実施の形態の表示装置について、図１７を用いて説明を行う。図１７は、表示装置２１０の斜視概略図である。表示装置２１０は、例えば、デバイス１０に含まれる。
【０２０７】
表示装置２１０は、基板２１１と基板２１２とが貼り合わされた構成を有する。図１７では、基板２１２を破線で明示している。
【０２０８】
表示装置２１０は、ディスプレイユニット２１４、回路２１６、配線２１８等を有する。図１７では表示装置２１０にＩＣ２２０及びＦＰＣ２２２が実装されている例を示している。そのため、図１７に示す構成は、表示装置２１０、ＩＣ２２０、及びＦＰＣ２２２を有する表示モジュールということもできる。ディスプレイユニット２１４は、実施の形態１乃至３のディスプレイユニット１１に相当する。
【０２０９】
回路２１６としては、例えば走査線駆動回路を用いることができる。
【０２１０】
配線２１８は、ディスプレイユニット２１４及び回路２１６に信号及び電力を供給する機能を有する。当該信号及び電力は、ＦＰＣ２２２を介して外部から、またはＩＣ２２０から配線２１８に入力される。
【０２１１】
図１７では、ＣＯＧ（Ｃｈｉｐ  Ｏｎ  Ｇｌａｓｓ）方式またはＣＯＦ（Ｃｈｉｐ  ｏｎ  Ｆｉｌｍ）方式等により、基板２１１にＩＣ２２０が設けられている例を示す。ＩＣ２２０は、例えば走査線駆動回路または信号線駆動回路等を有するＩＣを適用できる。なお、表示装置２１０には、ＩＣ２２０を設けない構成としてもよい。また、ＩＣ２２０を、ＣＯＦ方式等により、ＦＰＣに実装してもよい。
【０２１２】
図１７には、ディスプレイユニット２１４の一部の拡大図を示している。ディスプレイユニット２１４には、複数の表示素子が有する電極２２４がマトリクス状に配置されている。電極２２４は、可視光を反射する機能を有し、液晶素子２５０（後述する）の反射電極として機能する。
【０２１３】
また、図１７に示すように、電極２２４は開口部２２６を有する。さらにディスプレイユニット２１４は、電極２２４よりも基板２１１側に、発光素子２７０を有する。発光素子２７０からの光は、電極２２４の開口部２２６を介して基板２１２側に射出される。発光素子２７０の発光領域の面積と開口部２２６の面積とは等しくてもよい。発光素子２７０の発光領域の面積と開口部２２６の面積のうち一方が他方よりも大きいと、位置ずれに対するマージンが大きくなるため好ましい。
【０２１４】
＜構成例１＞
図１８に、図１７で示した表示装置２１０の、ＦＰＣ２２２を含む領域の一部、回路２１６を含む領域の一部、及びディスプレイユニット２１４を含む領域の一部をそれぞれ切断したときの断面の一例を示す。
【０２１５】
図１８に示す表示装置２１０は、基板２１１と基板２１２の間に、トランジスタ２０１ｔ、トランジスタ２０３ｔ、トランジスタ２０５ｔ、トランジスタ２０６ｔ、液晶素子２５０、発光素子２７０、絶縁層２３０、絶縁層２３１、着色層２３２、着色層２３３等を有する。基板２１２と絶縁層２３０は接着層２３４を介して接着される。基板２１１と絶縁層２３１は接着層２３５を介して接着されている。
【０２１６】
基板２１２には、着色層２３２、遮光層２３６、絶縁層２３０、及び液晶素子２５０の共通電極として機能する電極２３７、配向膜２３８ｂ、絶縁層２３９等が設けられている。基板２１２の外側の面には、偏光板２４０を有する。絶縁層２３０は、平坦化層としての機能を有していてもよい。絶縁層２３０により、電極２３７の表面を概略平坦にできるため、液晶層２４１の配向状態を均一にできる。絶縁層２３９は、液晶素子２５０のセルギャップを保持するためのスペーサとして機能する。絶縁層２３９が可視光を透過する場合は、絶縁層２３９を液晶素子２５０の表示領域と重ねて配置してもよい。
【０２１７】
液晶素子２５０は反射型の液晶素子である。液晶素子２５０は、画素電極として機能する電極２４２、液晶層２４１、電極２３７が積層された積層構造を有する。電極２４２の基板２１１側に接して、可視光を反射する電極２２４が設けられている。電極２２４は開口部２２６を有する。電極２４２及び電極２３７は可視光を透過する。液晶層２４１と電極２４２の間に配向膜２３８ａが設けられている。液晶層２４１と電極２３７との間に配向膜２３８ｂが設けられている。
【０２１８】
液晶素子２５０において、電極２２４は可視光を反射する機能を有し、電極２３７は可視光を透過する機能を有する。基板２１２側から入射した光は、偏光板２４０により偏光され、電極２３７、液晶層２４１を透過し、電極２２４で反射する。そして液晶層２４１及び電極２３７を再度透過して、偏光板２４０に達する。このとき、電極２２４と電極２３７の間に与える電圧によって液晶の配向を制御し、光の光学変調を制御することができる。すなわち、偏光板２４０を介して射出される光の強度を制御することができる。また光は着色層２３２によって特定の波長領域以外の光が吸収されることにより、取り出される光は、例えば赤色を呈する光となる。
【０２１９】
図１８に示すように、開口部２２６には可視光を透過する電極２４２が設けられていることが好ましい。これにより、開口部２２６と重なる領域においてもそれ以外の領域と同様に液晶層２４１が配向するため、これらの領域の境界部で液晶の配向不良が生じ、光が漏れてしまうことを抑制できる。
【０２２０】
接続部２４３において、電極２２４は、導電層２４４を介して、トランジスタ２０６ｔが有する導電層２４５と電気的に接続されている。トランジスタ２０６ｔは、液晶素子２５０の駆動を制御する機能を有する。
【０２２１】
接着層２３４が設けられる一部の領域には、接続部２４６が設けられている。接続部２４６において、電極２４２と同一の導電膜を加工して得られた導電層と、電極２３７の一部が、接続体２４７により電気的に接続されている。したがって、基板２１２側に形成された電極２３７に、基板２１１側に接続されたＦＰＣ２２２から入力される信号または電位を、接続部２４６を介して供給することができる。
【０２２２】
接続体２４７としては、例えば導電性の粒子を用いることができる。導電性の粒子としては、有機樹脂またはシリカ等の粒子の表面を金属材料で被覆したものを用いることができる。金属材料としてニッケルや金を用いると接触抵抗を低減できるため好ましい。またニッケルをさらに金で被覆する等、２種類以上の金属材料を層状に被覆させた粒子を用いることが好ましい。また接続体２４７として、弾性変形、または塑性変形する材料を用いることが好ましい。このとき導電性の粒子である接続体２４７は、図１８に示すように上下方向に潰れた形状となる場合がある。こうすることで、接続体２４７と、これと電気的に接続する導電層との接触面積が増大し、接触抵抗を低減できるほか、接続不良等の不具合の発生を抑制することができる。
【０２２３】
接続体２４７は、接着層２３４に覆われるように配置することが好ましい。例えば接着層２３４となるペーストを塗布した後に、接続体２４７を配置すればよい。
【０２２４】
発光素子２７０は、ボトムエミッション型の発光素子である。発光素子２７０は、絶縁層２３０側から画素電極として機能する電極２４８、ＥＬ層２５２、及び共通電極として機能する電極２５３の順に積層された積層構造を有する。電極２４８は、絶縁層２５４に設けられた開口を介して、トランジスタ２０５ｔが有する導電層２５５と接続されている。トランジスタ２０５ｔは、発光素子２７０の駆動を制御する機能を有する。絶縁層２３１が電極２４８の端部を覆っている。電極２５３は可視光を反射する材料を含み、電極２４８は可視光を透過する材料を含む。電極２５３を覆って絶縁層２５６が設けられている。発光素子２７０が発する光は、着色層２３３、絶縁層２３０、開口部２２６等を介して、基板２１２側に射出される。
【０２２５】
液晶素子２５０及び発光素子２７０は、画素によって着色層の色を変えることで、様々な色を呈することができる。表示装置２１０は、液晶素子２５０を用いて、カラー表示を行うことができる。表示装置２１０は、発光素子２７０を用いて、カラー表示を行うことができる。
【０２２６】
トランジスタ２０１ｔ、トランジスタ２０３ｔ、トランジスタ２０５ｔ、及びトランジスタ２０６ｔは、いずれも絶縁層２５７の基板２１１側の面上に形成されている。これらのトランジスタは、同一の工程を用いて作製することができる。
【０２２７】
液晶素子２５０と電気的に接続される回路は、発光素子２７０と電気的に接続される回路と同一面上に形成されることが好ましい。これにより、２つの回路を別々の面上に形成する場合に比べて、表示装置の厚さを薄くすることができる。また、２つのトランジスタを同一の工程で作製できるため、２つのトランジスタを別々の面上に形成する場合に比べて、作製工程を簡略化することができる。
【０２２８】
液晶素子２５０の画素電極は、トランジスタが有するゲート絶縁層を挟んで、発光素子２７０の画素電極とは反対に位置する。
【０２２９】
トランジスタ２０３ｔは、画素の選択、非選択状態を制御するトランジスタ（スイッチングトランジスタ、または選択トランジスタともいう）である。トランジスタ２０５ｔは、発光素子２７０に流れる電流を制御するトランジスタ（駆動トランジスタともいう）である。なお、トランジスタのチャネル形成領域に用いる材料には、金属酸化物を用いると好ましい。
【０２３０】
絶縁層２５７の基板２１１側には、絶縁層２５８、絶縁層２５９、絶縁層２６０等の絶縁層が設けられている。絶縁層２５８は、その一部が各トランジスタのゲート絶縁層として機能する。絶縁層２５９は、トランジスタ２０６ｔ等を覆って設けられる。絶縁層２６０は、トランジスタ２０５ｔ等を覆って設けられている。絶縁層２５４は、平坦化層としての機能を有する。なお、トランジスタを覆う絶縁層の数は限定されず、単層であっても２層以上であってもよい。
【０２３１】
各トランジスタを覆う絶縁層の少なくとも一層に、水や水素等の不純物が拡散しにくい材料を用いることが好ましい。これにより、絶縁層をバリア膜として機能させることができる。このような構成とすることで、トランジスタに対して外部から不純物が拡散することを効果的に抑制することが可能となり、信頼性の高い表示装置を実現できる。
【０２３２】
トランジスタ２０１ｔ、トランジスタ２０３ｔ、トランジスタ２０５ｔ、及びトランジスタ２０６ｔは、ゲートとして機能する導電層２６１、ゲート絶縁層として機能する絶縁層２５８、ソース及びドレインとして機能する導電層２４５及び導電層２６２、並びに、半導体層２６３を有する。ここでは、同一の導電膜を加工して得られる複数の層に、同じハッチングパターンを付している。
【０２３３】
トランジスタ２０１ｔ及びトランジスタ２０５ｔは、トランジスタ２０３ｔ及びトランジスタ２０６ｔの構成に加えて、ゲートとして機能する導電層２６４を有する。
【０２３４】
トランジスタ２０１ｔ及びトランジスタ２０５ｔには、チャネルが形成される半導体層を２つのゲートで挟持する構成が適用されている。このような構成とすることで、トランジスタの閾値電圧を制御することができる。２つのゲートを接続し、これらに同一の信号を供給することによりトランジスタを駆動してもよい。このようなトランジスタは他のトランジスタと比較して電界効果移動度を高めることが可能であり、オン電流を増大させることができる。その結果、高速駆動が可能な回路を作製することができる。さらには、回路部の占有面積を縮小することが可能となる。オン電流の大きなトランジスタを適用することで、表示装置を大型化、または高精細化したときに配線数が増大したとしても、各配線における信号遅延を低減することが可能であり、表示ムラを抑制することができる。
【０２３５】
または、２つのゲートのうち、一方にしきい値電圧を制御するための電位を与え、他方に駆動のための電位を与えることで、トランジスタのしきい値電圧を制御することができる。
【０２３６】
表示装置が有するトランジスタの構造に限定はない。回路２１６が有するトランジスタと、ディスプレイユニット２１４が有するトランジスタは、同じ構造であってもよく、異なる構造であってもよい。回路２１６が有する複数のトランジスタは、全て同じ構造であってもよく、２種類以上の構造が組み合わせて用いられていてもよい。同様に、ディスプレイユニット２１４が有する複数のトランジスタは、全て同じ構造であってもよく、２種類以上の構造が組み合わせて用いられていてもよい。
【０２３７】
基板２１１の基板２１２と重ならない領域には、接続部２７２が設けられている。接続部２７２では、配線２１８が接続層２７３を介してＦＰＣ２２２と電気的に接続されている。接続部２７２は、接続部２４３と同様の構成を有している。接続部２７２の上面は、電極２４２と同一の導電膜を加工して得られた導電層が露出している。これにより、接続部２７２とＦＰＣ２２２とを接続層２７３を介して電気的に接続することができる。
【０２３８】
基板２１２の外側の面に配置する偏光板２４０として直線偏光板を用いてもよいが、円偏光板を用いることもできる。円偏光板としては、例えば直線偏光板と１／４波長位相差板を積層したものを用いることができる。これにより、環境光の反射を抑制することができる。また、偏光板の種類に応じて、液晶素子２５０に用いる液晶素子のセルギャップ、配向、駆動電圧等を調整することで、所望のコントラストが実現されるようにすればよい。
【０２３９】
なお、基板２１２の外側には各種光学部材を配置することができる。光学部材としては、偏光板、位相差板、光拡散層（拡散フィルム等）、反射防止層、及び集光フィルム等が挙げられる。また、基板２１２の外側には、ゴミの付着を抑制する帯電防止膜、汚れを付着しにくくする撥水性の膜、使用に伴う傷の発生を抑制するハードコート膜等を配置してもよい。
【０２４０】
基板２１１及び基板２１２には、それぞれ、ガラス、石英、セラミック、サファイヤ、有機樹脂等を用いることができる。基板２１１及び基板２１２に可撓性を有する材料を用いると、表示装置の可撓性を高めることができる。
【０２４１】
液晶素子２５０としては、例えば垂直配向（ＶＡ：Ｖｅｒｔｉｃａｌ  Ａｌｉｇｎｍｅｎｔ）モードが適用された液晶素子を用いることができる。垂直配向モードとしては、ＭＶＡ（Ｍｕｌｔｉ−Ｄｏｍａｉｎ  Ｖｅｒｔｉｃａｌ  Ａｌｉｇｎｍｅｎｔ）モード、ＰＶＡ（Ｐａｔｔｅｒｎｅｄ  Ｖｅｒｔｉｃａｌ  Ａｌｉｇｎｍｅｎｔ）モード、ＡＳＶ（Ａｄｖａｎｃｅｄ  Ｓｕｐｅｒ  Ｖｉｅｗ）モード等を用いることができる。
【０２４２】
液晶素子２５０には、様々なモードが適用された液晶素子を用いることができる。例えばＶＡモードのほかに、ＴＮ（Ｔｗｉｓｔｅｄ  Ｎｅｍａｔｉｃ）モード、ＩＰＳ（Ｉｎ−Ｐｌａｎｅ−Ｓｗｉｔｃｈｉｎｇ）モード、ＦＦＳ（Ｆｒｉｎｇｅ  Ｆｉｅｌｄ  Ｓｗｉｔｃｈｉｎｇ）モード、ＡＳＭ（Ａｘｉａｌｌｙ  Ｓｙｍｍｅｔｒｉｃ  ａｌｉｇｎｅｄ  Ｍｉｃｒｏ−ｃｅｌｌ）モード、ＯＣＢ（Ｏｐｔｉｃａｌｌｙ  Ｃｏｍｐｅｎｓａｔｅｄ  Ｂｉｒｅｆｒｉｎｇｅｎｃｅ）モード、ＦＬＣ（Ｆｅｒｒｏｅｌｅｃｔｒｉｃ  Ｌｉｑｕｉｄ  Ｃｒｙｓｔａｌ）モード、ＡＦＬＣ（ＡｎｔｉＦｅｒｒｏｅｌｅｃｔｒｉｃ  Ｌｉｑｕｉｄ  Ｃｒｙｓｔａｌ）モード等が適用された液晶素子を用いることができる。
【０２４３】
液晶素子は、液晶の光学的変調作用によって光の透過または非透過を制御する素子である。液晶の光学的変調作用は、液晶にかかる電界（横方向の電界、縦方向の電界または斜め方向の電界を含む）によって制御される。液晶素子に用いる液晶としては、サーモトロピック液晶、低分子液晶、高分子液晶、高分子分散型液晶（ＰＤＬＣ：Ｐｏｌｙｍｅｒ  Ｄｉｓｐｅｒｓｅｄ  Ｌｉｑｕｉｄ  Ｃｒｙｓｔａｌ）、強誘電性液晶、反強誘電性液晶等を用いることができる。これらの液晶材料は、条件により、コレステリック相、スメクチック相、キュービック相、カイラルネマチック相、等方相等を示す。
【０２４４】
液晶材料としては、ポジ型の液晶、またはネガ型の液晶のいずれを用いてもよく、適用するモードや設計に応じて最適な液晶材料を用いればよい。
【０２４５】
液晶の配向を制御するため、配向膜を設けることができる。なお、横電界方式を採用する場合、配向膜を用いないブルー相を示す液晶を用いてもよい。ブルー相は液晶相の一つであり、コレステリック液晶を昇温していくと、コレステリック相から等方相へ転移する直前に発現する相である。ブルー相は狭い温度範囲でしか発現しないため、温度範囲を改善するために数重量％以上のカイラル剤を混合させた液晶組成物を液晶に用いる。ブルー相を示す液晶とカイラル剤とを含む液晶組成物は、応答速度が短く、光学的等方性である。また、ブルー相を示す液晶とカイラル剤とを含む液晶組成物は、配向処理が不要であり、視野角依存性が小さい。また配向膜を設けなくてもよいのでラビング処理も不要となるため、ラビング処理によって引き起こされる静電破壊を防止することができ、作製工程中の液晶表示装置の不良や破損を軽減することができる。
【０２４６】
反射型の液晶素子を用いる場合には、表示面側に偏光板２４０を設ける。またこれとは別に、表示面側に光拡散板を配置すると、視認性を向上させられるため好ましい。
【０２４７】
偏光板２４０よりも外側に、フロントライトを設けてもよい。フロントライトとしては、エッジライト型のフロントライトを用いることが好ましい。ＬＥＤ（Ｌｉｇｈｔ  Ｅｍｉｔｔｉｎｇ  Ｄｉｏｄｅ）を備えるフロントライトを用いると、消費電力を低減できるため好ましい。
【０２４８】
＜構成例２＞
次に、図１８に示す表示装置２１０と異なる態様について、図１９を用いて説明する。
【０２４９】
図１９に示す表示装置２１０は、トランジスタ２０１ｔ、トランジスタ２０３ｔ、トランジスタ２０５ｔ、及びトランジスタ２０６ｔの代わりに、トランジスタ２８１、トランジスタ２８４、トランジスタ２８５、及びトランジスタ２８６を有する。トランジスタの構成以外については、図１８に示す表示装置２１０と概ね同様の構成である。ただし、一部の構成については、異なる構成もあるため、同様の箇所については説明を省略し、異なる構成について、以下説明を行う。
【０２５０】
図１９では、絶縁層２３９及び接続部２４３等の位置が図１８と異なる。絶縁層２３９は、着色層２３２の端部に重ねて配置されている。また、絶縁層２３９は、遮光層２３６の端部に重ねて配置されている。このように、絶縁層２３９は、表示領域と重ならない領域（遮光層２３６と重なる領域）に配置されてもよい。
【０２５１】
トランジスタ２８４及びトランジスタ２８５のように、表示装置が有する複数のトランジスタは、部分的に積層して設けられていてもよい。これにより、画素回路の占有面積を縮小することが可能なため、精細度を高めることができる。また、発光素子２７０の発光面積を大きくでき、開口率を向上させることができる。発光素子２７０は、開口率が高いと、必要な輝度を得るための電流密度を低くできるため、信頼性が向上する。
【０２５２】
トランジスタ２８１、トランジスタ２８４、及びトランジスタ２８６は、導電層２４４、絶縁層２５８、半導体層２６３、導電層２４５、及び導電層２６２を有する。導電層２４４は、絶縁層２５８を介して半導体層２６３と重なる。導電層２６２は、半導体層２６３と電気的に接続される。トランジスタ２８１は、導電層２６４を有する。
【０２５３】
トランジスタ２８５は、導電層２４５、絶縁層２５９、半導体層２６３、導電層２９１、絶縁層２５９、絶縁層２６０、導電層２９２、及び導電層２９３を有する。導電層２９１は、絶縁層２９０及び絶縁層２６０を介して半導体層２６３と重なる。導電層２９２及び導電層２９３は、半導体層２６３と電気的に接続される。
【０２５４】
導電層２４５は、ゲートとして機能する。絶縁層２９４は、ゲート絶縁層として機能する。導電層２９２はソースまたはドレインの一方として機能する。トランジスタ２８６が有する導電層２４５は、ソースまたはドレインの他方として機能する。
【０２５５】
＜構成例３＞
次に、図１８及び図１９に示す表示装置２１０と異なる態様について、図２０を用いて説明する。図２０は、表示装置２１０のディスプレイユニットの断面図である。
【０２５６】
図２０に示す表示装置２１０は、基板２１１と基板２１２の間に、トランジスタ２９５、トランジスタ２９６、液晶素子２５０、発光素子２７０、絶縁層２３０、着色層２３２、着色層２３３等を有する。
【０２５７】
液晶素子２５０では、環境光を電極２２４が反射し、基板２１２側に反射光を射出する。発光素子２７０は、基板２１２側に光を射出する。液晶素子２５０及び発光素子２７０の構成については、構成例１を参照できる。
【０２５８】
トランジスタ２９５は、絶縁層２５９及び絶縁層２６０で覆われている。絶縁層２５６と着色層２３３は、接着層２３５によって貼り合わされている。
【０２５９】
また、トランジスタ２９６は、先に示す構成例１及び構成例２と異なる構造である。具体的には、トランジスタ２９６は、デュアルゲート型のトランジスタである。なお、トランジスタ２９６の下側のゲート電極を無くし、トップゲート型のトランジスタとしてもよい。
【０２６０】
図２０に示す表示装置２１０は、液晶素子２５０を駆動するトランジスタ２９５と発光素子２７０を駆動するトランジスタ２９６とを、異なる面上に形成するため、それぞれの表示素子を駆動するために適した構造、材料を用いて形成することが容易である。
【符号の説明】
【０２６１】
Ａ０  画像
Ｂ０  画像
ａ１  アナログスイッチ
ａ２  アナログスイッチ
ａ３  アナログスイッチ
ｂｆ  バッファ
ｃ１  容量素子
ｃ２  容量素子
Ｃ１  状態
Ｃ２  状態
Ｃ３  状態
ｃｉ  クロックドインバータ
Ｃｓ  容量素子
Ｄｐ  データ
ＤＯＳ  データ
ＤＲ  データ
ＤＳ  データ
ＤＳＲ  データ
ＧＬ  ゲート線
ｉ１  インバータ
ｉ２  インバータ
ｉ３  インバータ
ｉ４  インバータ
ｉ５  インバータ
ｉ６  インバータ
ｉ７  インバータ
ｉ８  インバータ
ｉ９  インバータ
ＩＮ  信号
ＬＯＡＤ１  信号
ＬＯＡＤ２  信号
Ｍ１    トランジスタ
ｍｕｘ  セレクタ
ＯＵＴ  信号
Ｐ１  第１の期間
Ｐ２  第２の期間
Ｐ３  第３の期間
Ｐ４  第４の期間
Ｐ５  第５の期間
Ｐ６  第６の期間
Ｐ７  第７の期間
Ｑ  出力データ
Ｓ０１  バーコード表示ステップ
Ｓ０２  バーコード読み取りステップ
Ｓ０３  読み取り判定ステップ
Ｓ０４  データ転送ステップ
Ｓ０５  認証ステップ
Ｓ０６  認証判定ステップ
Ｓ０７  認証成功処理ステップ
Ｓ０８  認証エラー処理ステップ
Ｓ０９  バーコード表示停止ステップ
Ｓ１１  開始ページ表示ステップ
Ｓ１２  近距離無線通信開始ステップ
Ｓ１３  ゲート閉鎖ステップ
Ｓ１４  デバイス探索ステップ
Ｓ１５  デバイス判定ステップ
Ｓ１６  識別番号送信ステップ
Ｓ１７  デバイス判定ステップ
Ｓ２１  バーコード要求ステップ
Ｓ２２  バーコード表示ステップ
Ｓ２３  バーコード読み取り転送処理ステップ
Ｓ２４  認証ステップ
Ｓ２５  認証結果送信ステップ
Ｓ２６  認証結果判定ステップ
Ｓ２７  エラーポップアップウィンドウ表示ステップ
Ｓ２８  ゲート開放ステップ
Ｓ２９  認証成功ポップアップウインドウ表示ステップ
Ｓ３１  認証要求ステップ
Ｓ３２  デバイス判定ステップ
Ｓ３３  エラーページ表示ステップ
Ｓ３４  開始ページ表示ステップ
Ｓ３５  デバイス特定のためのバーコード読み取り転送処理ステップ
Ｓ３６  デバイス特定のためのバーコード表示ステップ
Ｓ３７  デバイス特定ステップ
Ｓ３８  認証のためのバーコード表示ステップ
Ｓ３９  認証のためのバーコード読み取り転送処理ステップ
Ｓ４０  認証ステップ
Ｓ４１  認証結果判定ステップ
Ｓ４２  エラーポップアップウィンドウ表示ステップ
Ｓ４３  ゲート開放ステップ
Ｓ４４  認証成功ポップアップウインドウ表示ステップ
ＳＡＶＥ１  信号
ＳＡＶＥ２  信号
ＳＣＬＫ  スキャンクロック信号
ＳＦ１  第１サブフレーム
ＳＦ２  第２サブフレーム
ＳＦ３  第３サブフレーム
ＳＩＮ  スキャン入力データ
ＳＬ  信号線
ＳＯＵＴ  スキャン出力データ
ｔ１  トランジスタ
ｔ２  トランジスタ
ｔ３  トランジスタ
ｔ４  トランジスタ
ｔ５  トランジスタ
ｔ６  トランジスタ
ＴＦ  期間
ＴＲ  期間
ＴＷ  期間
ＶＤＤ  電源電位
Ｔ１  第１の時間
Ｔ２  第２の時間
Ｔ３  第３の時間
Ｔ４  第４の時間
Ｔ５  第５の時間
Ｔ６  第６の時間
Ｔ７  第７の時間
１０  デバイス
１１  ディスプレイユニット
１１ａ  タッチセンサ
１１ｂ  液晶層
１１ｃ  ＥＬ層
１２  受話器スピーカー
１３  フロントカメラ
１４  電源ボタン
１５  ホームボタン
１６  マイクロフォン
１７  バーコードリーダ
１８  光
１９  反射光
２０サーバ
２１  ステータスバー
２２  開始ページ
２３  二次元バーコード
２４  ポップアップウインドウ
２５  ポップアップウインドウ
２６  エラーページ
２７  デバイス特定二次元バーコード
１００  バス
１０１  プロセッサ
１０２  メモリ
１０３  無線通信モジュール
１０４  ディスプレイコントローラ
１０５  オーディオコントローラ
１０６  カメラコントローラ
１０７  ＧＰＳモジュール
１０８  タッチコントローラ
１０９  インターフェース
１１０  メモリ
１１０ａ  メモリ
１１０ｂ  メモリ
１１１  画像処理部
１１２  タイミングコントローラ
１１３  ＬＣＤドライバ
１１４  ＥＬＤドライバ
１１５  センサコントローラ
１１６  レジスタユニット
１１７  ガンマ補正回路
１１８  調光回路
１１９  調色回路
１２０  ＥＬ補正回路
１２１  不揮発性レジスタ
１２２  揮発性レジスタ
１２３  保持回路
１２４  インバータループ
１２５  インバータループ
１２６  インバータループ
２０１    表示素子
２０１ｔ    トランジスタ
２０２    表示素子
２０３    開口部
２０３ｔ    トランジスタ
２０４    反射光
２０５    透過光
２０５ｔ    トランジスタ
２０６    画素回路
２０６ｔ    トランジスタ
２１０    表示装置
２１１    基板
２１２    基板
２１４    ディスプレイユニット
２１６    回路
２１８    配線
２２０    ＩＣ
２２２    ＦＰＣ
２２４    電極
２２６    開口部
２３０    絶縁層
２３１    絶縁層
２３２    着色層
２３３    着色層
２３４    接着層
２３５    接着層
２３６    遮光層
２３７    電極
２３８ａ    配向膜
２３８ｂ    配向膜
２３９    絶縁層
２４０    偏光板
２４１    液晶層
２４２    電極
２４３    接続部
２４４    導電層
２４５    導電層
２４６    接続部
２４７    接続体
２４８    電極
２５０    液晶素子
２５２    ＥＬ層
２５３    電極
２５４    絶縁層
２５５    導電層
２５６    絶縁層
２５７    絶縁層
２５８    絶縁層
２５９    絶縁層
２６０    絶縁層
２６１    導電層
２６２    導電層
２６３    半導体層
２６４    導電層
２７０    発光素子
２７２    接続部
２７３    接続層
２８１    トランジスタ
２８４    トランジスタ
２８５    トランジスタ
２８６    トランジスタ
２９０    絶縁層
２９１    導電層
２９２    導電層
２９３    導電層
２９４    絶縁層
２９５    トランジスタ
２９６    トランジスタ
【図１】
2018072747.tif 000003
【図２】
2018072747.tif 000004
【図３】
2018072747.tif 000005
【図４】
2018072747.tif 000006
【図５】
2018072747.tif 000007
【図６】
2018072747.tif 000008
【図７】
2018072747.tif 000009
【図８】
2018072747.tif 000010
【図９】
2018072747.tif 000011
【図１０】
2018072747.tif 000012
【図１１】
2018072747.tif 000013
【図１２】
2018072747.tif 000014
【図１３】
2018072747.tif 000015
【図１４】
2018072747.tif 000016
【図１５】
2018072747.tif 000017
【図１６】
2018072747.tif 000018
【図１７】
2018072747.tif 000019
【図１８】
2018072747.tif 000020
【図１９】
2018072747.tif 000021
【図２０】
2018072747.tif 000022